(57)【要約】  本開示の様々な態様は、受信機のオペレーションを適合させるために、パイロット繰り返しのシーケンスを使用する通信に関する。本開示の様々な態様は、受信機のオペレーションを適合させるために、ショートトレーニングフィールドを使用する通信に関する。
2020512711.tif 000002
【特許請求の範囲】
【請求項１】
通信のための装置であって、
パイロット繰り返しを備えるシーケンスを取得するように構成されたインターフェースと、
修正されたシーケンスを提供するために前記シーケンスを修正することと、
前記修正されたシーケンスを備えるフレームを生成することと、
を行うように構成された処理システムと、
を備え、
前記インターフェースは、送信のために前記フレームを出力するようにさらに構成される、装置。
【請求項２】
前記フレームは、ＩＥＥＥ ８０２．１１ａｙフレームを備える、請求項１に記載の装置。
【請求項３】
前記フレームの前記生成は、前記フレームのショートトレーニングフィールドの少なくとも一部分に前記修正されたシーケンスを含むことを備える、請求項１に記載の装置。
【請求項４】
前記ショートトレーニングフィールドは、拡張型指向性マルチギガビットショートトレーニングフィールドを備える、請求項３に記載の装置。
【請求項５】
前記ショートトレーニングフィールドの前記少なくとも一部分は、前記拡張型指向性マルチギガビットショートトレーニングフィールドの始端を備える、請求項４に記載の装置。
【請求項６】
前記シーケンスは、前記拡張型指向性マルチギガビットショートトレーニングフィールドに関するパイロット繰り返しのセットの最初の部分を備える、請求項４に記載の装置。
【請求項７】
前記シーケンスの前記修正は、複数の利得を前記シーケンスに適用することを備える、請求項１に記載の装置。
【請求項８】
前記複数の利得は、離散振幅値によって指定される、請求項７に記載の装置。
【請求項９】
前記複数の利得は、少なくとも１つの振幅スロープによって指定される、請求項７に記載の装置。
【請求項１０】
前記複数の利得は、少なくとも１つの電力スロープによって指定される、請求項７に記載の装置。
【請求項１１】
前記修正されたシーケンスは、線形性推定のために定義された信号を備える、請求項１に記載の装置。
【請求項１２】
前記修正されたシーケンスは、リーク推定のために定義された信号を備える、請求項１に記載の装置。
【請求項１３】
前記シーケンスの前記修正は、ハイパスフィルタを前記シーケンスの前記パイロット繰り返しのうちの少なくとも１つに適用することを備える、請求項１に記載の装置。
【請求項１４】
前記処理システムは、前記シーケンスの前記修正のインジケーションを生成するようにさらに構成され、
前記インターフェースは、送信のために前記インジケーションを出力するようにさらに構成される、
請求項１に記載の装置。
【請求項１５】
前記インジケーションは、前記シーケンスの前記パイロット繰り返しのうちの少なくとも１つに適用された少なくとも１つの利得を示す、請求項１４に記載の装置。
【請求項１６】
前記インジケーションは、前記シーケンスに適用された複数の利得を示す、請求項１４に記載の装置。
【請求項１７】
前記シーケンスの前記修正は、前記シーケンスの前記パイロット繰り返しのうちの少なくとも１つをハイパスフィルタリングすることを備え、
前記インジケーションの前記生成は、前記ハイパスフィルタリングのインジケーションを生成することを備える、
請求項１４に記載の装置。
【請求項１８】
前記インジケーションは、前記ハイパスフィルタリングのためのサポートを示す、請求項１７に記載の装置。
【請求項１９】
前記インジケーションは、前記シーケンスに適用された少なくとも１つのハイパスフィルタ特性を示す、請求項１４に記載の装置。
【請求項２０】
前記インジケーションは、前記シーケンスの前記修正のためのサポートを示す、請求項１４に記載の装置。
【請求項２１】
前記インジケーションは、前記修正されたシーケンスの長さを示す、請求項１４に記載の装置。
【請求項２２】
前記インジケーションは、前記修正されたシーケンスの少なくとも１つの信号タイプを示す、請求項１４に記載の装置。
【請求項２３】
前記少なくとも１つの信号タイプは、利得推定信号、線形性推定信号、直流リーク推定信号、局部発振器リーク推定信号、またはそれらの任意の組み合わせを備える、請求項２２に記載の装置。
【請求項２４】
前記処理システムは、前記シーケンスの前記修正のインジケーションを生成するようにさらに構成され、
前記フレームの前記生成は、前記フレームの拡張型指向性マルチギガビットヘッダＡにおける、または前記フレームのレガシ指向性マルチギガビットヘッダにおける、前記インジケーションを含むことを備える、
請求項１に記載の装置。
【請求項２５】
通信の方法であって、
パイロット繰り返しを備えるシーケンスを取得することと、
修正されたシーケンスを提供するために前記シーケンスを修正することと、
前記修正されたシーケンスを備えるフレームを生成することと、
送信のために前記フレームを出力することと
を備える、方法。
【請求項２６】
前記フレームは、ＩＥＥＥ ８０２．１１ａｙフレームを備える、請求項２５に記載の方法。
【請求項２７】
前記フレームの前記生成は、前記フレームのショートトレーニングフィールドの少なくとも一部分に前記修正されたシーケンスを含むことを備える、請求項２５に記載の方法。
【請求項２８】
前記ショートトレーニングフィールドは、拡張型指向性マルチギガビットショートトレーニングフィールドを備える、請求項２５に記載の方法。
【請求項２９】
前記ショートトレーニングフィールドの前記少なくとも一部分は、前記拡張型指向性マルチギガビットショートトレーニングフィールドの始端を備える、請求項２８に記載の方法。
【請求項３０】
前記シーケンスは、前記拡張型指向性マルチギガビットショートトレーニングフィールドに関するパイロット繰り返しのセットの最初の部分を備える、請求項２８に記載の方法。
【請求項３１】
前記シーケンスの前記修正は、複数の利得を前記シーケンスに適用することを備える、請求項２５に記載の方法。
【請求項３２】
前記複数の利得は、離散振幅値によって指定される、請求項３１に記載の方法。
【請求項３３】
前記複数の利得は、少なくとも１つの振幅スロープによって指定される、請求項３１に記載の方法。
【請求項３４】
前記複数の利得は、少なくとも１つの電力スロープによって指定される、請求項３１に記載の方法。
【請求項３５】
前記修正されたシーケンスは、線形性推定のために定義された信号を備える、請求項２５に記載の方法。
【請求項３６】
前記修正されたシーケンスは、リーク推定のために定義された信号を備える、請求項２５に記載の方法。
【請求項３７】
前記シーケンスの前記修正は、ハイパスフィルタを前記シーケンスの前記パイロット繰り返しのうちの少なくとも１つに適用することを備える、請求項２５に記載の方法。
【請求項３８】
前記シーケンスの前記修正のインジケーションを生成することと、
送信のために前記インジケーションを出力することと
をさらに備える、請求項２５に記載の方法。
【請求項３９】
前記インジケーションは、前記シーケンスの前記パイロット繰り返しのうちの少なくとも１つに適用された少なくとも１つの利得を示す、請求項３８に記載の方法。
【請求項４０】
前記インジケーションは、前記シーケンスに適用された複数の利得を示す、請求項３８に記載の方法。
【請求項４１】
前記シーケンスの前記修正は、前記シーケンスの前記パイロット繰り返しのうちの少なくとも１つをハイパスフィルタリングすることを備え、
前記インジケーションの前記生成は、前記ハイパスフィルタリングのインジケーションを生成することを備える、
請求項３８に記載の方法。
【請求項４２】
前記インジケーションは、前記ハイパスフィルタリングのためのサポートを示す、請求項４１に記載の方法。
【請求項４３】
前記インジケーションは、前記シーケンスに適用された少なくとも１つのハイパスフィルタ特性を示す、請求項３８に記載の方法。
【請求項４４】
前記インジケーションは、前記シーケンスの前記修正のためのサポートを示す、請求項３８に記載の方法。
【請求項４５】
前記インジケーションは、前記修正されたシーケンスの長さを示す、請求項３８に記載の方法。
【請求項４６】
前記インジケーションは、前記修正されたシーケンスの少なくとも１つの信号タイプを示す、請求項３８に記載の方法。
【請求項４７】
前記少なくとも１つの信号タイプは、利得推定信号、線形性推定信号、直流リーク推定信号、局部発振器リーク推定信号、またはそれらの任意の組み合わせを備える、請求項４６に記載の方法。
【請求項４８】
前記シーケンスの前記修正のインジケーションを生成することをさらに備え、
前記フレームの前記生成は、前記フレームの拡張型指向性マルチギガビットヘッダＡにおける、または前記フレームのレガシ指向性マルチギガビットヘッダにおける、前記インジケーションを含むことを備える、
請求項２５に記載の方法。
【請求項４９】
通信のための装置であって、
パイロット繰り返しを備えるシーケンスを取得するための手段と、
修正されたシーケンスを提供するために前記シーケンスを修正するための手段と、
前記修正されたシーケンスを備えるフレームを生成するための手段と、
送信のために前記フレームを出力するための手段と
を備える、装置。
【請求項５０】
前記フレームは、ＩＥＥＥ ８０２．１１ａｙフレームを備える、請求項４９に記載の装置。
【請求項５１】
前記フレームの前記生成は、前記フレームのショートトレーニングフィールドの少なくとも一部分に前記修正されたシーケンスを含むことを備える、請求項４９に記載の装置。
【請求項５２】
前記ショートトレーニングフィールドは、拡張型指向性マルチギガビットショートトレーニングフィールドを備える、請求項４９に記載の装置。
【請求項５３】
前記ショートトレーニングフィールドの前記少なくとも一部分は、前記拡張型指向性マルチギガビットショートトレーニングフィールドの始端を備える、請求項５２に記載の装置。
【請求項５４】
前記シーケンスは、前記拡張型指向性マルチギガビットショートトレーニングフィールドに関するパイロット繰り返しのセットの最初の部分を備える、請求項５２に記載の装置。
【請求項５５】
前記シーケンスの前記修正は、複数の利得を前記シーケンスに適用することを備える、請求項４９に記載の装置。
【請求項５６】
前記複数の利得は、離散振幅値によって指定される、請求項５５に記載の装置。
【請求項５７】
前記複数の利得は、少なくとも１つの振幅スロープによって指定される、請求項５５に記載の装置。
【請求項５８】
前記複数の利得は、少なくとも１つの電力スロープによって指定される、請求項５５に記載の装置。
【請求項５９】
前記修正されたシーケンスは、線形性推定のために定義された信号を備える、請求項４９に記載の装置。
【請求項６０】
前記修正されたシーケンスは、リーク推定のために定義された信号を備える、請求項４９に記載の装置。
【請求項６１】
前記シーケンスの前記修正は、ハイパスフィルタを前記シーケンスの前記パイロット繰り返しのうちの少なくとも１つに適用することを備える、請求項４９に記載の装置。
【請求項６２】
前記シーケンスの前記修正のインジケーションを生成するための手段をさらに備え、
出力するための前記手段は、送信のために前記インジケーションを出力するように構成される、
請求項４９に記載の装置。
【請求項６３】
前記インジケーションは、前記シーケンスの前記パイロット繰り返しのうちの少なくとも１つに適用された少なくとも１つの利得を示す、請求項６２に記載の装置。
【請求項６４】
前記インジケーションは、前記シーケンスに適用された複数の利得を示す、請求項６２に記載の装置。
【請求項６５】
前記シーケンスの前記修正は、前記シーケンスの前記パイロット繰り返しのうちの少なくとも１つをハイパスフィルタリングすることを備え、
前記インジケーションの前記生成は、前記ハイパスフィルタリングのインジケーションを生成することを備える、
請求項６２に記載の装置。
【請求項６６】
前記インジケーションは、前記ハイパスフィルタリングのためのサポートを示す、請求項６５に記載の装置。
【請求項６７】
前記インジケーションは、前記シーケンスに適用された少なくとも１つのハイパスフィルタ特性を示す、請求項６２に記載の装置。
【請求項６８】
前記インジケーションは、前記シーケンスの前記修正のためのサポートを示す、請求項６２に記載の装置。
【請求項６９】
前記インジケーションは、前記修正されたシーケンスの長さを示す、請求項６２に記載の装置。
【請求項７０】
前記インジケーションは、前記修正されたシーケンスの少なくとも１つの信号タイプを示す、請求項６２に記載の装置。
【請求項７１】
前記少なくとも１つの信号タイプは、利得推定信号、線形性推定信号、直流リーク推定信号、局部発振器リーク推定信号、またはそれらの任意の組み合わせを備える、請求項７０に記載の装置。
【請求項７２】
前記シーケンスの前記修正のインジケーションを生成するための手段をさらに備え、
前記フレームの前記生成は、前記フレームの拡張型指向性マルチギガビットヘッダＡにおける、または前記フレームのレガシ指向性マルチギガビットヘッダにおける、前記インジケーションを含むことを備える、
請求項４９に記載の装置。
【請求項７３】
ワイヤレスノードであって、
パイロット繰り返しを備えるシーケンスを取得するように構成されたインターフェースと、
修正されたシーケンスを提供するために前記シーケンスを修正することと、
前記修正されたシーケンスを備えるフレームを生成することと、
を行うように構成された処理システムと、
前記フレームを送信するように構成された送信機と
を備える、ワイヤレスノード。
【請求項７４】
コンピュータ実行可能コードを記憶するコンピュータ可読媒体であって、
パイロット繰り返しを備えるシーケンスを取得することと、
修正されたシーケンスを提供するために前記シーケンスを修正することと、
前記修正されたシーケンスを備えるフレームを生成することと、
送信のために前記フレームを出力することと
を行うためのコードを含む、コンピュータ可読媒体。
【請求項７５】
通信のための装置であって、
パイロット繰り返しを備えるシーケンスを含むフレームを取得するように構成されたインターフェースと、
少なくとも１つの通信パラメータを決定するために前記シーケンスを処理することと、
前記少なくとも１つの通信パラメータに基づいてオペレーションを制御するための信号を生成することと
を行うように構成された処理システムと、
を備え、
前記インターフェースは、前記信号を出力するようにさらに構成される、装置。
【請求項７６】
前記フレームは、ＩＥＥＥ ８０２．１１ａｙフレームを備える、請求項７５に記載の装置。
【請求項７７】
前記フレームは、ショートトレーニングフィールドを備え、
前記ショートトレーニングフィールドの少なくとも一部分は、前記シーケンスを含む、
請求項７５に記載の装置。
【請求項７８】
前記ショートトレーニングフィールドは、拡張型指向性マルチギガビットショートトレーニングフィールドを備える、請求項７７に記載の装置。
【請求項７９】
前記ショートトレーニングフィールドの前記少なくとも一部分は、前記拡張型指向性マルチギガビットショートトレーニングフィールドの始端を備える、請求項７８に記載の装置。
【請求項８０】
前記シーケンスは、前記拡張型指向性マルチギガビットショートトレーニングフィールドに関するパイロット繰り返しのセットの最初の部分を備える、請求項７８に記載の装置。
【請求項８１】
前記少なくとも１つの通信パラメータは、利得、線形性、直流リーク、局部発振器リーク、位相ノイズ、ノイズ、干渉、またはそれらの任意の組み合わせを備える、請求項７５に記載の装置。
【請求項８２】
前記少なくとも１つの通信パラメータの前記決定は、前記フレームの送信に関連付けられたリークを決定することを備える、請求項７５に記載の装置。
【請求項８３】
前記リークは、直流リーク、局部発振器リーク、またはそれらの任意の組み合わせを備える、請求項８２に記載の装置。
【請求項８４】
前記少なくとも１つの通信パラメータの前記決定は、前記フレームの送信に関連付けられた位相ノイズを決定することを備える、請求項７５に記載の装置。
【請求項８５】
前記インターフェースは、前記位相ノイズの前記決定のために前記シーケンスが使用されることができるとのインジケーションを取得するようにさらに構成され、
前記処理システムは、前記インジケーションに基づいて前記シーケンスを処理するようにさらに構成される、
請求項８４に記載の装置。
【請求項８６】
前記インジケーションは、前記位相ノイズの前記決定のために使用されるべき前記シーケンスのシンボルの量を示す、請求項８５に記載の装置。
【請求項８７】
前記少なくとも１つの通信パラメータの前記決定は、前記フレームの送信に関連付けられたノイズまたは干渉を決定することを備える、請求項７５に記載の装置。
【請求項８８】
前記インターフェースは、前記ノイズまたは干渉の前記決定のために前記シーケンスが使用されることができるとのインジケーションを取得するようにさらに構成され、
前記処理システムは、前記インジケーションに基づいて前記シーケンスを処理するようにさらに構成される、
請求項８７に記載の装置。
【請求項８９】
前記インジケーションは、前記ノイズまたは干渉の前記決定のために使用されるべき前記シーケンスのシンボルの量を示す、請求項８８に記載の装置。
【請求項９０】
前記オペレーションは、チャネル推定、等化、デシメーション、周波数相関、圧縮、位相ロックループ追跡、ダイナミックレンジのバックオフ、またはそれらの任意の組み合わせを備える、請求項７５に記載の装置。
【請求項９１】
前記少なくとも１つの通信パラメータは、前記シーケンスに適用された複数の利得を備える、請求項７５に記載の装置。
【請求項９２】
前記複数の利得は、離散振幅値によって指定される、請求項９１に記載の装置。
【請求項９３】
前記複数の利得は、少なくとも１つの振幅スロープによって指定される、請求項９１に記載の装置。
【請求項９４】
前記複数の利得は、少なくとも１つの電力スロープによって指定される、請求項９１に記載の装置。
【請求項９５】
前記インターフェースは、前記シーケンスがどのように生成されたかのインジケーションを取得するようにさらに構成され、
前記処理システムは、前記インジケーションに基づいて前記シーケンスを処理するようにさらに構成される、
請求項７５に記載の装置。
【請求項９６】
前記インジケーションは、前記シーケンスの前記パイロット繰り返しのうちの少なくとも１つに適用された少なくとも１つの利得を示す、請求項９５に記載の装置。
【請求項９７】
前記インジケーションは、前記シーケンスに適用された複数の利得を示す、請求項９５に記載の装置。
【請求項９８】
前記インジケーションは、前記シーケンスに適用された少なくとも１つのハイパスフィルタ特性を示す、請求項９５に記載の装置。
【請求項９９】
前記インジケーションは、前記シーケンスの修正のためのサポートを示す、請求項９５に記載の装置。
【請求項１００】
前記インジケーションは、前記シーケンスの長さを示す、請求項９５に記載の装置。
【請求項１０１】
前記インジケーションは、前記シーケンスの少なくとも１つの信号タイプを示す、請求項９５に記載の装置。
【請求項１０２】
前記少なくとも１つの信号タイプは、利得推定信号、線形性推定信号、直流リーク推定信号、局部発振器リーク推定信号、またはそれらの任意の組み合わせを備える、請求項１０１に記載の装置。
【請求項１０３】
前記インジケーションは、前記フレームの拡張型指向性マルチギガビットヘッダＡに、または前記フレームのレガシ指向性マルチギガビットに、含まれる、請求項９５に記載の装置。
【請求項１０４】
前記フレームは、ヘッダをさらに備え、
前記処理システムは、前記シーケンスの前記処理と並行して前記ヘッダを処理するようにさらに構成される、
請求項７５に記載の装置。
【請求項１０５】
通信の方法であって、
パイロット繰り返しを備えるシーケンスを含むフレームを取得することと、
少なくとも１つの通信パラメータを決定するために前記シーケンスを処理することと、
前記少なくとも１つの通信パラメータに基づいてオペレーションを制御するための信号を生成することと、
前記信号を出力することと
を備える、方法。
【請求項１０６】
前記フレームは、ＩＥＥＥ ８０２．１１ａｙフレームを備える、請求項１０５に記載の方法。
【請求項１０７】
前記フレームは、ショートトレーニングフィールドを備え、
前記ショートトレーニングフィールドの少なくとも一部分は、前記シーケンスを含む、
請求項１０５に記載の方法。
【請求項１０８】
前記ショートトレーニングフィールドは、拡張型指向性マルチギガビットショートトレーニングフィールドを備える、請求項１０７に記載の方法。
【請求項１０９】
前記ショートトレーニングフィールドの前記少なくとも一部分は、前記拡張型指向性マルチギガビットショートトレーニングフィールドの始端を備える、請求項１０８に記載の方法。
【請求項１１０】
前記シーケンスは、前記拡張型指向性マルチギガビットショートトレーニングフィールドに関するパイロット繰り返しのセットの最初の部分を備える、請求項１０８に記載の方法。
【請求項１１１】
前記少なくとも１つの通信パラメータは、利得、線形性、直流リーク、局部発振器リーク、位相ノイズ、ノイズ、干渉、またはそれらの任意の組み合わせを備える、請求項１０５に記載の方法。
【請求項１１２】
前記少なくとも１つの通信パラメータの前記決定は、前記フレームの送信に関連付けられたリークを決定することを備える、請求項１０５に記載の方法。
【請求項１１３】
前記リークは、直流リーク、局部発振器リーク、またはそれらの任意の組み合わせを備える、請求項１１２に記載の方法。
【請求項１１４】
前記少なくとも１つの通信パラメータの前記決定は、前記フレームの送信に関連付けられた位相ノイズを決定することを備える、請求項１０５に記載の方法。
【請求項１１５】
前記位相ノイズの前記決定のために前記シーケンスが使用されることができるとのインジケーションを取得することをさらに備え、
前記シーケンスの前記処理は、前記インジケーションに基づいている、
請求項１１４に記載の方法。
【請求項１１６】
前記インジケーションは、前記位相ノイズの前記決定のために使用されるべき前記シーケンスのシンボルの量を示す、請求項１１５に記載の方法。
【請求項１１７】
前記少なくとも１つの通信パラメータの前記決定は、前記フレームの送信に関連付けられたノイズまたは干渉を決定することを備える、請求項１０５に記載の方法。
【請求項１１８】
前記ノイズまたは干渉の前記決定のために前記シーケンスが使用されることができるとのインジケーションを取得することをさらに備え、
前記シーケンスの前記処理は、前記インジケーションに基づいている、
請求項１１７に記載の方法。
【請求項１１９】
前記インジケーションは、前記ノイズまたは干渉の前記決定のために使用されるべき前記シーケンスのシンボルの量を示す、請求項１１８に記載の方法。
【請求項１２０】
前記オペレーションは、チャネル推定、等化、デシメーション、周波数相関、圧縮、位相ロックループ追跡、ダイナミックレンジのバックオフ、またはそれらの任意の組み合わせを備える、請求項１０５に記載の方法。
【請求項１２１】
前記少なくとも１つの通信パラメータは、前記シーケンスに適用された複数の利得を備える、請求項１０５に記載の方法。
【請求項１２２】
前記複数の利得は、離散振幅値によって指定される、請求項１２１に記載の方法。
【請求項１２３】
前記複数の利得は、少なくとも１つの振幅スロープによって指定される、請求項１２１に記載の方法。
【請求項１２４】
前記複数の利得は、少なくとも１つの電力スロープによって指定される、請求項１２１に記載の方法。
【請求項１２５】
前記シーケンスがどのように生成されたかのインジケーションを取得することをさらに備え、
前記シーケンスの前記処理は、前記インジケーションに基づいている、
請求項１０５に記載の方法。
【請求項１２６】
前記インジケーションは、前記シーケンスの前記パイロット繰り返しのうちの少なくとも１つに適用された少なくとも１つの利得を示す、請求項１２５に記載の方法。
【請求項１２７】
前記インジケーションは、前記シーケンスに適用された複数の利得を示す、請求項１２５に記載の方法。
【請求項１２８】
前記インジケーションは、前記シーケンスに適用された少なくとも１つのハイパスフィルタ特性を示す、請求項１２５に記載の方法。
【請求項１２９】
前記インジケーションは、前記シーケンスの修正のためのサポートを示す、請求項１２５に記載の方法。
【請求項１３０】
前記インジケーションは、前記シーケンスの長さを示す、請求項１２５に記載の方法。
【請求項１３１】
前記インジケーションは、前記シーケンスの少なくとも１つの信号タイプを示す、請求項１２５に記載の方法。
【請求項１３２】
前記少なくとも１つの信号タイプは、利得推定信号、線形性推定信号、直流リーク推定信号、局部発振器リーク推定信号、またはそれらの任意の組み合わせを備える、請求項１３１に記載の方法。
【請求項１３３】
前記インジケーションは、前記フレームの拡張型指向性マルチギガビットヘッダＡに、または前記フレームのレガシ指向性マルチギガビットに含まれる、請求項１２５に記載の方法。
【請求項１３４】
前記フレームは、ヘッダをさらに備え、
前記方法は、前記シーケンスの前記処理と並行して前記ヘッダを処理することをさらに備える、
請求項１０５に記載の方法。
【請求項１３５】
通信のための装置であって、
パイロット繰り返しを備えるシーケンスを含むフレームを取得するための手段と、
少なくとも１つの通信パラメータを決定するために前記シーケンスを処理するための手段と、
前記少なくとも１つの通信パラメータに基づいてオペレーションを制御するための信号を生成するための手段と、
前記信号を出力するための手段と
を備える、装置。
【請求項１３６】
前記フレームは、ＩＥＥＥ ８０２．１１ａｙフレームを備える、請求項１３５に記載の装置。
【請求項１３７】
前記フレームは、ショートトレーニングフィールドを備え、
前記ショートトレーニングフィールドの少なくとも一部分は、前記シーケンスを含む、
請求項１３５に記載の装置。
【請求項１３８】
前記ショートトレーニングフィールドは、拡張型指向性マルチギガビットショートトレーニングフィールドを備える、請求項１３７に記載の装置。
【請求項１３９】
前記ショートトレーニングフィールドの前記少なくとも一部分は、前記拡張型指向性マルチギガビットショートトレーニングフィールドの始端を備える、請求項１３８に記載の装置。
【請求項１４０】
前記シーケンスは、前記拡張型指向性マルチギガビットショートトレーニングフィールドに関するパイロット繰り返しのセットの最初の部分を備える、請求項１３８に記載の装置。
【請求項１４１】
前記少なくとも１つの通信パラメータは、利得、線形性、直流リーク、局部発振器リーク、位相ノイズ、ノイズ、干渉、またはそれらの任意の組み合わせを備える、請求項１３５に記載の装置。
【請求項１４２】
前記少なくとも１つの通信パラメータの前記決定は、前記フレームの送信に関連付けられたリークを決定することを備える、請求項１３５に記載の装置。
【請求項１４３】
前記リークは、直流リーク、局部発振器リーク、またはそれらの任意の組み合わせを備える、請求項１４２に記載の装置。
【請求項１４４】
前記少なくとも１つの通信パラメータの前記決定は、前記フレームの送信に関連付けられた位相ノイズを決定することを備える、請求項１３５に記載の装置。
【請求項１４５】
取得するための前記手段は、前記位相ノイズの前記決定のために前記シーケンスが使用されることができるとのインジケーションを取得するように構成され、
処理するための前記手段は、前記インジケーションに基づいて前記シーケンスを処理するように構成される、
請求項１４４に記載の装置。
【請求項１４６】
前記インジケーションは、前記位相ノイズの前記決定のために使用されるべき前記シーケンスのシンボルの量を示す、請求項１４５に記載の装置。
【請求項１４７】
前記少なくとも１つの通信パラメータの前記決定は、前記フレームの送信に関連付けられたノイズまたは干渉を決定することを備える、請求項１３５に記載の装置。
【請求項１４８】
取得するための前記手段は、前記ノイズまたは干渉の前記決定のために前記シーケンスが使用されることができるとのインジケーションを取得するように構成され、
処理するための前記手段は、前記インジケーションに基づいて前記シーケンスを処理するように構成される、
請求項１４７に記載の装置。
【請求項１４９】
前記インジケーションは、前記ノイズまたは干渉の前記決定のために使用されるべき前記シーケンスのシンボルの量を示す、請求項１４８に記載の装置。
【請求項１５０】
前記オペレーションは、チャネル推定、等化、デシメーション、周波数相関、圧縮、位相ロックループ追跡、ダイナミックレンジのバックオフ、またはそれらの任意の組み合わせを備える、請求項１３５に記載の装置。
【請求項１５１】
前記少なくとも１つの通信パラメータは、前記シーケンスに適用された複数の利得を備える、請求項１３５に記載の装置。
【請求項１５２】
前記複数の利得は、離散振幅値によって指定される、請求項１５１に記載の装置。
【請求項１５３】
前記複数の利得は、少なくとも１つの振幅スロープによって指定される、請求項１５１に記載の装置。
【請求項１５４】
前記複数の利得は、少なくとも１つの電力スロープによって指定される、請求項１５１に記載の装置。
【請求項１５５】
取得するための前記手段は、前記シーケンスがどのように生成されたかのインジケーションを取得するように構成され、
処理するための前記手段は、前記インジケーションに基づいて前記シーケンスを処理するように構成される、
請求項１３５に記載の装置。
【請求項１５６】
前記インジケーションは、前記シーケンスの前記パイロット繰り返しのうちの少なくとも１つに適用された少なくとも１つの利得を示す、請求項１５５に記載の装置。
【請求項１５７】
前記インジケーションは、前記シーケンスに適用された複数の利得を示す、請求項１５５に記載の装置。
【請求項１５８】
前記インジケーションは、前記シーケンスに適用された少なくとも１つのハイパスフィルタ特性を示す、請求項１５５に記載の装置。
【請求項１５９】
前記インジケーションは、前記シーケンスの修正のためのサポートを示す、請求項１５５に記載の装置。
【請求項１６０】
前記インジケーションは、前記シーケンスの長さを示す、請求項１５５に記載の装置。
【請求項１６１】
前記インジケーションは、前記シーケンスの少なくとも１つの信号タイプを示す、請求項１５５に記載の装置。
【請求項１６２】
前記少なくとも１つの信号タイプは、利得推定信号、線形性推定信号、直流リーク推定信号、局部発振器リーク推定信号、またはそれらの任意の組み合わせを備える、請求項１６１に記載の装置。
【請求項１６３】
前記インジケーションは、前記フレームの拡張型指向性マルチギガビットヘッダＡに、または前記フレームのレガシ指向性マルチギガビットに含まれる、請求項１５５に記載の装置。
【請求項１６４】
前記フレームは、ヘッダをさらに備え、
処理するための前記手段は、前記シーケンスの前記処理と並行して前記ヘッダを処理するように構成される、
請求項１３５に記載の装置。
【請求項１６５】
ワイヤレスノードであって、
パイロット繰り返しを備えるシーケンスを含むフレームを受信するように構成された受信機と、
少なくとも１つの通信パラメータを決定するために前記シーケンスを処理することと、
前記少なくとも１つの通信パラメータに基づいてオペレーションを制御するための信号を生成することと
を行うように構成された処理システムと、
前記信号を前記受信機に出力するように構成されたインターフェースと
を備える、ワイヤレスノード。
【請求項１６６】
コンピュータ実行可能コードを記憶するコンピュータ可読媒体であって、
パイロット繰り返しを備えるシーケンスを含むフレームを取得することと、
少なくとも１つの通信パラメータを決定するために前記シーケンスを処理することと、
前記少なくとも１つの通信パラメータに基づいてオペレーションを制御するための信号を生成することと、
前記信号を出力することと
を行うためのコードを含む、コンピュータ可読媒体。
【発明の詳細な説明】
【関連出願】
【０００１】
[0001]  本願は、２０１７年１月９日付で米国特許商標庁に出願された仮出願第６２／４４４，１６５号、および２０１８年１月８日付で米国特許商標庁に出願された非仮出願第１５／８６４，７０１号に対する優先権とその利益を主張し、その内容全体が、参照により本明細書に組み込まれる。
【背景技術】
【０００２】
[0002]  本明細書で説明される様々な態様は、ワイヤレス通信に関し、限定はされないがより具体的には、受信機のオペレーション（operation）を適合させる（adapt）ための、パイロット繰り返し（pilot repetitions）のシーケンス（sequence）を使用する通信（communication）に関する。
【０００３】
[0003]  いくつかのタイプのワイヤレス通信デバイスは、単一のアンテナを使用するデバイスと比較してより高いレベルのパフォーマンスを提供するために、複数のアンテナを用いる。例えば、ワイヤレス多入力多出力（ＭＩＭＯ：multiple-in-multiple-out）システム（例えば、ＩＥＥＥ ８０２．１１ａｘをサポートするワイヤレスローカルエリアネットワーク（ＷＬＡＮ））は、ビームフォーミングベースの信号送信（beamforming-based signal transmission）を提供するために、複数の送信アンテナを使用し得る。通常、異なるアンテナから送信されたビームフォーミングベースの信号は、結果として生じる信号の電力が受信機デバイス（例えば、アクセス端末）の方へと集中するように、位相（phase）（および任意で振幅（optionally amplitude））で調整される。
【０００４】
[0004]  ワイヤレスＭＩＭＯシステムは、単一ユーザのために一度に、または何人かのユーザのために並行して（concurrently）、通信をサポートし得る。単一ユーザのための通信（例えば、単一受信機デバイス）は一般に、シングルユーザＭＩＭＯ（ＳＵ−ＭＩＭＯ）と呼ばれ、一方、複数のユーザのための同時送信は一般に、マルチユーザＭＩＭＯ（ＭＵ−ＭＩＭＯ）と呼ばれる。
【０００５】
[0005]  ＭＩＭＯシステムのアクセスポイント（access point）（例えば、基地局）は、データ送受信のために複数のアンテナを用いるが、一方、各ユーザは、１つまたは複数のアンテナを用いる。アクセスポイントは、順方向リンクチャネルと逆方向リンクチャネルとを介してユーザと通信する。いくつかの態様では、順方向リンク（またはダウンリンク）チャネルは、アクセスポイントの送信アンテナからユーザの受信アンテナへの通信チャネルを指し、逆方向リンク（またはアップリンク）チャネルは、ユーザの送信アンテナからアクセスポイントの受信アンテナへの通信チャネルを指す。
【０００６】
[0006]  送信アンテナのセットから受信アンテナへの送信（transmission）に対応するＭＩＭＯチャネルは、受信アンテナの方へと送信を導くためにプリコーディング（precoding）（例えば、ビームフォーミング）が用いられるため、空間ストリーム（spatial stream）と呼ばれる。したがって、いくつかの態様では、各空間ストリームは、少なくとも１つの次元（dimension）に対応する。よって、ＭＩＭＯシステムは、これらの空間ストリームによって提供されるさらなる次元の使用を通じて、改善されたパフォーマンス（例えば、より高いスループットおよび／またはより高い信頼性）を提供する。
【発明の概要】
【０００７】
[0007]  以下は、本開示のいくつかの態様の基本的な理解を提供するために、そのような態様の簡略化された概要を提示する。この概要は、本開示の企図される全ての特徴の広範な概略ではなく、また本開示の全ての態様の重要な要素または重大な要素を特定することも、本開示の態様のいずれかまたは全ての範囲を線引きすることも意図していない。その唯一の目的は、後に提示されるより詳細な説明への前置きとして、簡略化された形式で本開示のいくつかの態様の様々な概念を提示することである。
【０００８】
[0008]  いくつかの態様では、本開示は、通信のために構成された装置（apparatus）を提供する。装置は、パイロット繰り返しを含むシーケンスを取得するように構成されたインターフェース（interface）と、修正されたシーケンス（modified sequence）を提供するためにシーケンスを修正することと、修正されたシーケンスを含むフレーム（frame）を生成することとを行うように構成された処理システム（processing system）とを含み、インターフェースは、送信のためにフレームを出力するようにさらに構成される。いくつかの実装では、別個のインターフェースが、シーケンスを取得するためにおよびフレームを出力するために使用され得る。
【０００９】
[0009]  いくつかの態様では、本開示は、通信の方法を提供する。方法は、パイロット繰り返しを含むシーケンスを取得することと、修正されたシーケンスを提供するためにシーケンスを修正することと、修正されたシーケンスを含むフレームを生成することと、送信のためにフレームを出力することと、を含む。
【００１０】
[0010]  いくつかの態様では、本開示は、通信のために構成された装置を提供する。装置は、パイロット繰り返しを含むシーケンスを取得するための手段と、修正されたシーケンスを提供するためにシーケンスを修正するための手段と、修正されたシーケンスを含むフレームを生成するための手段と、送信のためにフレームを出力するための手段と、を含む。
【００１１】
[0011]  いくつかの態様では、本開示は、ワイヤレスノード（wireless node）を提供する。ワイヤレスノードは、パイロット繰り返しを含むシーケンスを取得するように構成されたインターフェースと、修正されたシーケンスを提供するためにシーケンスを修正することと、修正されたシーケンスを含むフレームを生成することとを行うように構成された処理システムと、フレームを送信するように構成された送信機と、を含む。
【００１２】
[0012]  いくつかの態様では、本開示は、コンピュータ実行可能コード（computer-executable code）を記憶するコンピュータ可読媒体（computer-readable medium）（例えば、非一時的コンピュータ可読媒体）を提供する。例えば、コンピュータ可読媒体は、パイロット繰り返しを含むシーケンスを取得することと、修正されたシーケンスを提供するためにシーケンスを修正することと、修正されたシーケンスを含むフレームを生成することと、送信のためにフレームを出力することと、を行うためのコードを含む。
【００１３】
[0013]  いくつかの態様では、本開示は、通信のために構成された装置を提供する。装置は、パイロット繰り返しを含むシーケンスを含むフレームを取得するように構成されたインターフェースと、少なくとも１つの通信パラメータを決定するためにシーケンスを処理することと、少なくとも１つの通信パラメータに基づいてオペレーションを制御するための信号を生成することとを行うように構成された処理システムと、を含み、インターフェースは、信号を出力するようにさらに構成される。いくつかの実装では、別個のインターフェースが、フレームを取得するためにおよび信号を出力するために使用され得る。
【００１４】
[0014]  いくつかの態様では、本開示は、通信の方法を提供する。方法は、パイロット繰り返しを含むシーケンスを含むフレームを取得することと、少なくとも１つの通信パラメータを決定するためにシーケンスを処理することと、少なくとも１つの通信パラメータに基づいてオペレーションを制御するための信号を生成することと、信号を出力することと、を含む。
【００１５】
[0015]  いくつかの態様では、本開示は、通信のために構成された装置を提供する。装置は、パイロット繰り返しを含むシーケンスを含むフレームを取得するための手段と、少なくとも１つの通信パラメータを決定するためにシーケンスを処理するための手段と、少なくとも１つの通信パラメータに基づいてオペレーションを制御するための信号を生成するための手段と、信号を出力するための手段と、を含む。
【００１６】
[0016]  いくつかの態様では、本開示は、ワイヤレスノードを提供する。ワイヤレスノードは、パイロット繰り返しを含むシーケンスを含むフレームを受信するように構成された受信機と、少なくとも１つの通信パラメータを決定するためにシーケンスを処理することと、少なくとも１つの通信パラメータに基づいてオペレーションを制御するための信号を生成することとを行うように構成された処理システムと、信号を受信機に出力するように構成されたインターフェースと、を含む。
【００１７】
[0017]  いくつかの態様では、本開示は、コンピュータ実行可能コードを記憶するコンピュータ可読媒体（例えば、非一時的コンピュータ可読媒体）を提供する。コンピュータ可読媒体は、パイロット繰り返しを含むシーケンスを含むフレームを取得することと、少なくとも１つの通信パラメータを決定するためにシーケンスを処理することと、少なくとも１つの通信パラメータに基づいてオペレーションを制御するための信号を生成することと、制御信号を出力することと、を行うためのコードを含む。
【００１８】
[0018]  いくつかの態様では、本開示は、通信のために構成された装置を提供する。装置は、パイロット繰り返しを含むシーケンスを取得するように構成されたインターフェースと、修正されたシーケンスを提供するためにシーケンスの少なくとも１つのパイロット繰り返しをハイパスフィルタリング（high-pass filtering）することと、修正されたシーケンスを含むフィールド（field）を有するフレームを生成することとを行うように構成された処理システムと、を含み、インターフェースは、送信のためにフレームを出力するようにさらに構成される。いくつかの実装では、別個のインターフェースが、シーケンスを取得するためにおよびフレームを出力するために使用され得る。
【００１９】
[0019]  いくつかの態様では、本開示は、通信の方法を提供する。方法は、パイロット繰り返しを含むシーケンスを取得することと、修正されたシーケンスを提供するためにシーケンスの少なくとも１つのパイロット繰り返しをハイパスフィルタリングすることと、修正されたシーケンスを含むフィールドを有するフレームを生成することと、を含む。
【００２０】
[0020]  いくつかの態様では、本開示は、通信のために構成された装置を提供する。装置は、パイロット繰り返しを含むシーケンスを取得するための手段と、修正されたシーケンスを提供するためにシーケンスの少なくとも１つのパイロット繰り返しをハイパスフィルタリングするための手段と、修正されたシーケンスを含むフィールドを有するフレームを生成するための手段と、送信のためにフレームを出力するための手段と、を含む。
【００２１】
[0021]  いくつかの態様では、本開示は、ワイヤレスノードを提供する。ワイヤレスノードは、パイロット繰り返しを含むシーケンスを取得するように構成されたインターフェースと、修正されたシーケンスを提供するためにシーケンスの少なくとも１つのパイロット繰り返しをハイパスフィルタリングすることと、修正されたシーケンスを含むフィールドを有するフレームを生成することとを行うように構成された処理システムと、フレームを送信するように構成された送信機と、を含む。
【００２２】
[0022]  いくつかの態様では、本開示は、コンピュータ実行可能コードを記憶するコンピュータ可読媒体（例えば、非一時的コンピュータ可読媒体）を提供する。コンピュータ可読媒体は、パイロット繰り返しを含むシーケンスを取得することと、修正されたシーケンスを提供するためにシーケンスの少なくとも１つのパイロット繰り返しをハイパスフィルタリングすることと、修正されたシーケンスを含むフィールドを有するフレームを生成することと、送信のためにフレームを出力することと、を行うためのコードを含む。
【００２３】
[0023]  いくつかの態様では、本開示は、通信のために構成された装置を提供する。装置は、パイロット繰り返しを含むシーケンスを含むフレームを取得するように構成されたインターフェースと、フレームの送信に関連付けられたリーク（leakage）を決定するためにシーケンスを処理することと、リークに基づいて受信オペレーション（receive operation）を制御するための信号を生成することとを行うように構成された処理システムと、を含み、インターフェースは、信号を出力するようにさらに構成される。いくつかの実装では、別個のインターフェースが、フレームを取得するためにおよび信号を出力するために使用され得る。
【００２４】
[0024]  いくつかの態様では、本開示は、通信の方法を提供する。方法は、パイロット繰り返しを含むシーケンスを含むフレームを取得することと、フレームの送信に関連付けられたリークを決定するためにシーケンスを処理することと、リークに基づいて受信オペレーションを制御するための信号を生成することと、信号を出力することと、を含む。
【００２５】
[0025]  いくつかの態様では、本開示は、通信のために構成された装置を提供する。装置は、パイロット繰り返しを含むシーケンスを含むフレームを取得するための手段と、フレームの送信に関連付けられたリークを決定するためにシーケンスを処理するための手段と、リークに基づいて受信オペレーションを制御するための信号を生成するための手段と、信号を出力するための手段と、を含む。
【００２６】
[0026]  いくつかの態様では、本開示は、ワイヤレスノードを提供する。ワイヤレスノードは、パイロット繰り返しを含むシーケンスを含むフレームを受信するように構成された受信機と、フレームの送信に関連付けられたリークを決定するためにシーケンスを処理することと、リークに基づいて受信オペレーションを制御するための信号を生成することとを行うように構成された処理システムと、信号を受信機に出力するように構成されたインターフェースと、を含む。
【００２７】
[0027]  いくつかの態様では、本開示は、コンピュータ実行可能コードを記憶するコンピュータ可読媒体（例えば、非一時的コンピュータ可読媒体）を提供する。コンピュータ可読媒体は、パイロット繰り返しを含むシーケンスを含むフレームを取得することと、フレームの送信に関連付けられたリークを決定するためにシーケンスを処理することと、リークに基づいて受信オペレーションを制御するための信号を生成することと、信号を出力することと、を行うためのコードを含む。
【００２８】
[0028]  いくつかの態様では、本開示は、通信のために構成された装置を提供する。装置は、パイロット繰り返しを含むシーケンスを含むフレームを取得するように構成されたインターフェースと、フレームの送信に関連付けられた位相ノイズ（phase noise）を決定するためにシーケンスを処理することと、位相ノイズに基づいて受信オペレーションを制御するための信号を生成することとを行うように構成された処理システムと、を含み、インターフェースは、信号を出力するようにさらに構成される。いくつかの実装では、別個のインターフェースが、フレームを取得するためにおよび信号を出力するために使用され得る。
【００２９】
[0029]  いくつかの態様では、本開示は、通信の方法を提供する。方法は、パイロット繰り返しを含むシーケンスを含むフレームを取得することと、フレームの送信に関連付けられた位相ノイズを決定するためにシーケンスを処理することと、位相ノイズに基づいて受信オペレーションを制御するための信号を生成することと、信号を出力することと、を含む。
【００３０】
[0030]  いくつかの態様では、本開示は、通信のために構成された装置を提供する。装置は、パイロット繰り返しを含むシーケンスを含むフレームを取得するための手段と、フレームの送信に関連付けられた位相ノイズを決定するためにシーケンスを処理するための手段と、位相ノイズに基づいて受信オペレーションを制御するための信号を生成するための手段と、信号を出力するための手段と、を含む。
【００３１】
[0031]  いくつかの態様では、本開示は、ワイヤレスノードを提供する。ワイヤレスノードは、パイロット繰り返しを含むシーケンスを含むフレームを受信するように構成された受信機と、フレームの送信に関連付けられた位相ノイズを決定するためにシーケンスを処理することと、位相ノイズに基づいて受信オペレーションを制御するための信号を生成することとを行うように構成された処理システムと、信号を受信機に出力するように構成されたインターフェースと、を含む。
【００３２】
[0032]  いくつかの態様では、本開示は、コンピュータ実行可能コードを記憶するコンピュータ可読媒体（例えば、非一時的コンピュータ可読媒体）を提供する。コンピュータ可読媒体は、パイロット繰り返しを含むシーケンスを含むフレームを取得することと、フレームの送信に関連付けられた位相ノイズを決定するためにシーケンスを処理することと、位相ノイズに基づいて受信オペレーションを制御するための信号を生成することと、信号を出力することと、を行うためのコードを含む。
【００３３】
[0033]  いくつかの態様では、本開示は、通信のために構成された装置を提供する。装置は、パイロット繰り返しを含むシーケンスを含むフレームを取得するように構成されたインターフェースと、フレームの送信に関連付けられたノイズ（noise）または干渉（interference）を決定するためにシーケンスを処理することと、ノイズまたは干渉に基づいて受信オペレーションを制御するための信号を生成することとを行うように構成された処理システムと、を含み、インターフェースは、信号を出力するようにさらに構成される。
【００３４】
[0034]  いくつかの態様では、本開示は、通信の方法を提供する。方法は、パイロット繰り返しを含むシーケンスを含むフレームを取得することと、フレームの送信に関連付けられたノイズまたは干渉を決定するためにシーケンスを処理することと、ノイズまたは干渉に基づいて受信オペレーションを制御するための信号を生成することと、信号を出力することと、を含む。いくつかの実装では、別個のインターフェースが、フレームを取得するためにおよび信号を出力するために使用され得る。
【００３５】
[0035]  いくつかの態様では、本開示は、通信のために構成された装置を提供する。装置は、パイロット繰り返しを含むシーケンスを含むフレームを取得するための手段と、フレームの送信に関連付けられたノイズまたは干渉を決定するためにシーケンスを処理するための手段と、ノイズまたは干渉に基づいて受信オペレーションを制御するための信号を生成するための手段と、信号を出力するための手段と、を含む。
【００３６】
[0036]  いくつかの態様では、本開示は、ワイヤレスノードを提供する。ワイヤレスノードは、パイロット繰り返しを含むシーケンスを含むフレームを受信するように構成された受信機と、フレームの送信に関連付けられたノイズまたは干渉を決定するためにシーケンスを処理することと、ノイズまたは干渉に基づいて受信オペレーションを制御するための信号を生成することとを行うように構成された処理システムと、信号を受信機に出力するように構成されたインターフェースと、を含む。
【００３７】
[0037]  いくつかの態様では、本開示は、コンピュータ実行可能コードを記憶するコンピュータ可読媒体（例えば、非一時的コンピュータ可読媒体）を提供する。コンピュータ可読媒体は、パイロット繰り返しを含むシーケンスを含むフレームを取得することと、フレームの送信に関連付けられたノイズまたは干渉を決定するためにシーケンスを処理することと、ノイズまたは干渉に基づいて受信オペレーションを制御するための信号を生成することと、信号を出力することと、を行うためのコードを含む。
【００３８】
[0038]  本開示のこれらのおよび他の態様は、下記に続く詳細な説明を検討すると、より完全に理解されるだろう。本開示の他の態様、特徴、および実装は、添付の図と併せて本開示の特定の実装の下記の説明を検討すると、当業者には明らかとなるだろう。本開示の特徴は、特定の実装および図に関連して以下で説明され得るが、本開示の全ての実装は、本明細書で論じられる有利な特徴の１つまたは複数を含むことができる。言い換えれば、１つまたは複数の実装が特定の有利な特徴を有するものとして説明され得るが、そのような特徴のうちの１つまたは複数はまた、本明細書で論じられる本開示の様々な実装にしたがって使用され得る。同様の方法で、特定の実装は、デバイス、システム、または方法の実装として以下に説明され得るが、そのような実装が、様々なデバイス、システム、および方法に実装され得ると理解されるべきである。
【図面の簡単な説明】
【００３９】
[0039]  添付の図面は、本開示の様々な態様の説明に役立つように提示されており、その態様の例示のためだけに提供されるが、これらに限定されるものではない。
【図１】[0040]  図１は、本開示のいくつかの態様にしたがった、送信および受信デバイスの例を図示する。
【図２】[0041]  図２は、本開示の態様が用いられ得るワイヤレス通信フレームの例を図示する。
【図３】[0042]  図３は、本開示の態様が用いられ得るワイヤレス通信シーケンスの例を図示する。
【図４】[0043]  図４は、本開示の態様が用いられ得る単一入力単一出力（ＳＩＳＯ：single-input single-output）のためのワイヤレス通信フレームの例を図示する。
【図５】[0044]  図５は、本開示の態様が用いられ得るＭＩＭＯ送信のためのワイヤレス通信フレームの例を図示する。
【図６】[0045]  図６は、本開示のいくつかの態様にしたがった、送信および受信の別の例を図示する。
【図７】[0046]  図７は、本開示の態様が用いられ得るワイヤレス通信システムの例を図示する。
【図８】[0047]  図８は、本開示のいくつかの態様にしたがったワイヤレス通信システム内で用いられ得る例となる装置の機能ブロック図である。
【図９】[0048]  図９は、ワイヤレス通信を送信するために図８の装置で利用され得る、例となるコンポーネントの機能ブロック図である。
【図１０】[0049]  図１０は、ワイヤレス通信を受信するために図８の装置で利用され得る、例となるコンポーネントの機能ブロック図である。
【図１１】[0050]  図１１は、本開示のいくつかの態様にしたがった、例となる装置の機能ブロック図である。
【図１２】[0051]  図１２は、本開示のいくつかの態様にしたがった、例となる処理のフロー図である。
【図１３】[0052]  図１３は、本開示のいくつかの態様にしたがった、別の例となる処理のフロー図である。
【図１４】[0053]  図１４は、本開示のいくつかの態様にしたがった、別の例となる処理のフロー図である。
【図１５】[0054]  図１５は、本開示のいくつかの態様にしたがった、別の例となる処理のフロー図である。
【図１６】[0055]  図１６は、本開示のいくつかの態様にしたがった、別の例となる処理のフロー図である。
【図１７】[0056]  図１７は、本開示のいくつかの態様にしたがった、別の例となる処理のフロー図である。
【図１８】[0057]  図１８は、本開示のいくつかの態様にしたがった機能を用いて構成された装置のいくつかのサンプルの態様の、簡略化されたブロック図である。
【図１９】[0058]  図１９は、本開示のいくつかの態様にしたがった機能を用いて構成された装置のいくつかのサンプルの態様の、簡略化されたブロック図である。
【図２０】[0059]  図２０は、本開示のいくつかの態様にしたがった機能を用いて構成された装置のいくつかのサンプルの態様の、簡略化されたブロック図である。
【図２１】[0060]  図２１は、本開示のいくつかの態様にしたがったコードを用いて構成されるメモリのいくつかのサンプルの態様の、簡略化されたブロック図である。
【図２２】[0061]  図２２は、本開示のいくつかの態様にしたがったコードを用いて構成されるメモリのいくつかのサンプルの態様の、簡略化されたブロック図である。
【図２３】[0062]  図２３は、本開示のいくつかの態様にしたがったコードを用いて構成されるメモリのいくつかのサンプルの態様の、簡略化されたブロック図である。
【発明の詳細な説明】
【００４０】
[0063]  本開示の様々な態様が以下に説明される。本明細書での教示が幅広い形式で具現化され得ること、および本明細書に開示されている任意の特定の構造、機能、またはその両方は単に代表的なものに過ぎないことが理解されるべきである。本明細書での教示に基づいて、当業者は、本明細書に開示された態様が、任意の他の態様から独立して実装され得ること、および、これら態様のうちの２つ以上が、様々な方法で組み合わされ得ることを理解するべきである。例えば、本明細書に記載されるいずれの数の態様を使用しても、装置が実装され得、または方法が実施され得る。さらに、他の構造、機能、あるいは、本明細書に説明される態様のうちの１つまたは複数に加えてまたはそれ以外の構造および機能を使用して、そのような装置が実装され得るか、あるいは、そのような方法が実現され得る。さらに、１つの態様は、請求項の少なくとも１つの要素を含み得る。例えば、通信の方法は、パイロット繰り返しを含むシーケンスを取得することと、修正されたシーケンスを提供するためにシーケンスを修正することと、修正されたシーケンスを含むフレームを生成することと、送信のためにフレームを出力することと、を含み得る。
【００４１】
[0064]  ＩＥＥＥ ８０２．１１ａｙなどの次世代の規格では、フレームヘッダの送付と、チャネルボンディング（ＣＢ：channel bonding）またはＭＩＭＯのためにフレームデータの送付との間の時間を満たすための要件が存在する。この時間は、データを復号するために受信機が時間内にヘッダ（header）を復号することを要求する。
【００４２】
[0065]  いくつかの態様では、本開示は、データを受信する前に１つまたは複数の推定を行うことによってデータ受信を改善することに関する。例えば、ヘッダ送信の終り（end）とデータ送信の始め（start）との間の時間は、様々な推定のために使用されるべきパターンを送るために使用され得る。いくつかの実装では、ショートトレーニングフィールド（ＳＴＦ：short training field）などのフィールドが、この推定のために使用され得る。これらの推定は、有利なことに、受信機における等化（equalization）、デシメーション（decimation）、または周波数補正（frequency correction）の必要性を低減（例えば、除去）し得る。
【００４３】
[0066]  図１は、第１の装置１０２が第２の装置１０６にショートトレーニングフィールド（ＳＴＦ）を有するフレーム１０４を送る、ワイヤレス通信システム１００を図示する。例示的な実装では、フレームはＩＥＥＥ ８０２．１１ａｙフレームであり得、ＳＴＦは拡張型指向性マルチギガビットショートトレーニングフィールド（ＥＤＭＧ−ＳＴＦ：extended directional multi-gigabit short training field）であり得る。
【００４４】
[0067]  従来、ＥＤＭＧ−ＳＴＦは、ＥＤＭＧチャネル推定フィールド（ＥＤＭＧ−ＣＥＦ：EDMG channel estimation field）が到着する前に、受信機が新しいタイミングを回復する（recover）ことを可能にし、かつワイドバンドチャネルを処理するのを開始する前に、レガシヘッダ（legacy header）（Ｌ−ヘッダ）とＥＤＭＧヘッダとを受信機が復号するための時間を提供する。例えば、それらヘッダは、高帯域幅チャネルを復号する（例えば、したがって、ナローバンド受信機からワイドバンド受信機へと切り替える）必要があるかどうかを受信機が知り得るように、ＥＤＭＧ−ＣＥＦが到着する前に復号されるべきである。
【００４５】
[0068]  本開示は、いくつかの態様では、受信機のパフォーマンスを改善するために、ＳＴＦ中の送信を使用することに関する。有利なことに、これらの技法は、ワイドバンド受信機の使用を必要としない。例えば、利得（gain）および線形性（linearity）は、チャネルのフル帯域幅を使用しなくとも、（例えば、受信信号強度インジケーション（ＲＳＳＩ：received signal strength indication）を測定することによって）推定されることができる。したがって、より複雑性の低いハードウェアが推定のために使用され得る。別の例では、受信機は、帯域制限定ＳＴＦに基づいて、直流（ＤＣ：direct current）および局部発振器（ＬＯ：local oscillator）リーク（leakage）を推定することができる。よって、受信機は、ワイドバンドチャネルが使用されるかどうかを知る前に、これらの値を推定することができる。ワイドバンドチャネルが使用されているとわかった場合、受信機は、受信パフォーマンスを改善するためにそれら推定を使用することができる。ワイドバンドチャネルが使用されていないとわかった場合、受信機はわずかな性能損失でまたは全く性能損失なく、それら推定を単に破棄することができる。
【００４６】
[0069]  図１では、第１の装置１０２は、フレーム１０４を送る前に、（例えば、利得を考慮してまたはハイパスフィルタ（high-pass filter）を適用することによって）ＳＴＦにおけるパイロット繰り返しのシーケンスを修正し得る。この目的を達成するために、第１の装置１０２は、シーケンス１１０を修正するように構成されたシーケンス修正器１０８を含む。送信機１１２は、修正されたシーケンス（または任意で、修正されていないシーケンス１１０）を、フレーム１０４を介して第２の装置に送り得る。加えて、いくつかの実装では、送信機１１２は、シーケンスの修正（modification）のインジケーション（indication）１１４を第２の装置１０６に（例えば、フレーム１０４を介してまたはいくつかの他の方法で）送る。インジケーション１１４は、例えば、シーケンスの修正のためのサポート（support）、シーケンス修正のタイプ（type）、シーケンスに適用される利得、シーケンスに適用されるフィルタの特性（characteristic）、修正されたシーケンスの長さ（length）、シーケンスの何らかの他の特性、またはそれらの任意の組み合わせを示し得る。
【００４７】
[0070]  第２の装置１０６は、その受信機１１６のオペレーションを適合させるために、ＳＴＦにおけるシーケンスを使用する。例えば、第２の装置１０６の受信機１１６がフレーム１０４を受信した後、シーケンスプロセッサ１１８は、フレーム１０４のＳＴＦに基づいて、利得、線形性、直流（ＤＣ）リーク、局部発振器（ＬＯ）リーク、位相ノイズ、ノイズ、または干渉のうちの１つまたは複数を推定し得る。パラメータアダプタ（parameter adaptor）１２０は次いで、この推定に基づいて受信機１１６の１つまたは複数のオペレーションを適合させ得る。有利なことに、第２の装置１０６は、受信機１１６がフレーム１０４のヘッダを処理している間にＳＴＦを処理し得る。
【００４８】
［例となるフレーム構成（Example Frame Structure）］
[0071]  図２は、ＩＥＥＥ ８０２．１１ａｙ通信または何らかの他のタイプのワイヤレス通信に適用可能であり得る、フレームプリアンブル２００の例を図示する。（例えば、チャネルボンディングシナリオに関して）フレームプリアンブル２００は、レガシショートトレーニングフィールド（Ｌ−ＳＴＦ）２０２、レガシチャネル推定フィールド（Ｌ−ＣＥＦ）２０４、レガシヘッダ（Ｌ−ＨＥＡＤＥＲ）２０６、ＥＤＭＧヘッダ（ＥＤＭＧ−ＨＥＡＤＥＲ−Ａ）２０８、ＥＤＭＧ−ＳＴＦ２１０、およびＥＤＭＧ−ＣＥＦ２１２を含む。データフィールド（図示せず）は、フレームプリアンブル２００に後続し、チャネルボンディングシナリオでは全ての帯域にわたって送信される。本明細書での教示によると、ＥＤＭＧ−ＳＴＦに関して定義されるパイロット繰り返しのシーケンスの全てまたは一部分は、受信機のオペレーションを適合させるために使用され得る。例えば、ＥＤＭＧ−ＳＴＦの最初の部分（first part）２１４が、いくつかの実装ではこの目的のために使用される。図２に示される特定のフレームプリアンブル２００は、例示の目的のためだけに示されている。フレームプリアンブルおよび／またはフレームの他のタイプが、他の実装で使用され得る。
【００４９】
［例となるＳＴＦ（Example STFs）］
[0072]  図３は、図２のフレームプリアンブル２００に関するＳＴＦシーケンス３００の例を図示する。図示されるように、ＳＴＦシーケンス３００は、一連のパイロット繰り返しＧａ３０２を含む。この例では、各パイロット繰り返しＧａ３０２は、１２８個のシンボル（symbol）を含む。他のＳＴＦシーケンスでは異なる数のシンボルが使用され得る。
【００５０】
[他の例となるフレーム構造（Other Example Frame Structures）］
[0073]  図４は、ＩＥＥＥ ８０２．１１ａｙ単一入力単一出力（ＳＩＳＯ）通信または何らかの他のタイプのワイヤレス通信に適用可能であり得るフレーム４００の例を図示する。フレーム４００は、Ｌ−ＳＴＦ４０２、Ｌ−ＣＥＦ４０４、２つのレガシヘッダのブロック（Ｌ−ＨＥＡＤＥＲ ＢＬＫ１ ４０６およびＬ−ＨＥＡＤＥＲ ＢＬＫ２ ４０８）、２つのＥＤＭＧヘッダのブロック（ＥＤＭＧ−ＨＥＡＤＥＲ−Ａ１ ４１０およびＥＤＭＧ−ＨＥＡＤＥＲ−Ａ２ ４１２）、ＥＤＭＧ−ＳＴＦ４１４、ＥＤＭＧ−ＣＥＦ４１６、およびデータフィールド４１８を含む。フレーム４００はまた、ガードインターバル（guard interval）（図４では「ＧＩ」と表される）とＥＤＭＧ ＧＩ（図４では「ＧＩｅ」と表される）とを含む。各ガードインターバル中のシンボルの数は、異なる実装では異なる可能性がある。例えば、ＧＩｅのサイズは、ＥＤＭＧ ＰＰＤＵの信号帯域幅を構成するチャネルの数（ＮＣＢ）に依存し得る。本明細書での教示によると、ＥＤＭＧ−ＳＴＦに関して定義されるパイロット繰り返しのシーケンスの全てまたは一部分は、受信機のオペレーションを適合させるために使用され得る。例えば、ＥＤＭＧ−ＳＴＦの最初の部分４２０が、いくつかの実装では、この目的のために使用される。図４に示されるフレーム４００は、例示の目的のためだけに示されている。他の実装では、フレームの他のタイプが使用され得る。例えば、フレーム４００はシングルキャリア（ＳＣ：single carrier）オペレーションに関して図示されているが、一方それは、直交周波数分割多重化（ＯＦＤＭ）オペレーションに拡張され得る。このケースでは、（ＥＤＭＧ−ＣＥＦの後の）いくつかのフィールドは、異なる名称（例えば、ＧＩの代わりにサイクリックプレフィクス（ＣＰ：cyclic prefix））を有し得、データブロックは、異なる長さを有し得る。
【００５１】
[0074]  図５は、ＩＥＥＥ ８０２．１１ａｙの多入力多出力通信または何らかの他のタイプのワイヤレス通信に適用可能であり得るフレーム５００の例を図示する。フレーム５００は、Ｌ−ＳＴＦ５０２、Ｌ−ＣＥＦ５０４、２つのレガシヘッダのブロック（Ｌ−ＨＥＡＤＥＲ ＢＬＫ１ ５０６およびＬ−ＨＥＡＤＥＲ ＢＬＫ２ ５０８）、２つのＥＤＭＧヘッダのブロック（ＥＤＭＧ−ＨＥＡＤＥＲ−Ａ１ ５１０およびＥＤＭＧ−ＨＥＡＤＥＲ−Ａ２ ５１２）、ＥＤＭＧ−ＳＴＦ５１４、ＥＤＭＧ−ＣＥＦ５１６、およびデータフィールド５１８を含む。フレーム４００は、ガードインターバル（図４では「ＧＩ」と表される）およびＥＤＭＧ ＧＩ（図４では「ＧＩｅ」と表される）、並びに別のインターバルＴＳＣ５２０を含む。各ガードインターバル中のシンボルの数は、異なる実装では異なる可能性がある。ＴＳＣ５２０におけるシンボルの数は、異なる実装では異なる可能性がある（例えば、ＴＳＣ５２０のサイズはチップ時間持続期間（ＴＣ）および／またはシングルキャリア（ＳＣ）チップの数（ＮＣ）に依存し得る）。本明細書での教示によると、ＥＤＭＧ−ＳＴＦに関して定義されるパイロット繰り返しのシーケンスの全てまたは一部分は、受信機のオペレーションを適合させるために使用され得る。例えば、ＥＤＭＧ−ＳＴＦの最初の部分５２２が、いくつかの実装では、この目的のために使用される。図５に示されるフレーム５００は、例示の目的のためだけに示されている。他の実装では、フレームの他のタイプが使用され得る。
【００５２】
[0075]  上記に示されるＬ−ヘッダおよびＥＤＭＧヘッダは、ヘッダに含まれる情報をカバレッジエッジ（coverage edge）上の受信機が正しく受信および復調することを可能にするように、ロバストな変調スキーム（robust modulation scheme）を組み込み得る。Ｌ−ヘッダは、例えば、ＩＥＥＥ ８０２．１１ａｄなどの別個の規格において前に定義されたヘッダであり得る。いくつかのケースでは、Ｌ−ヘッダは、変調された２相位相シフトキーイング（ＢＰＳＫ：binary phase shift keying）であり、回転サポートを含み得る。ＢＰＳＫ変調は、コンステレーションポイント（constellation points）の正確な位置決めが特別に問題にならないように１８０度で区分される、２つの位相を組み込み得る。このような信号によって符号化された情報は位相に基づいており、かつ信号は低いピーク対平均電力比（ＰＡＰＲ：peak to average power ratio）を有する。ＥＤＭＧヘッダは、例えば、変調された４相位相シフトキーイング（ＱＰＳＫ：quadrature phase shift keying）であり得る。ＱＰＳＫ変調は、円の周辺に等しく間隔をあけたコンステレーションダイヤグラム上の４つの位相を組み込み得る。ＱＰＳＫによって符号化された情報はまた、その位相に基づき得、信号もまた低いＰＡＰＲを有する信号に基づき得る。
【００５３】
[0076]  レガシフィールドは、ＥＤＭＧヘッダ−Ａが存在することをシグナリングする１つまたは複数のビットを含み得る。例えば、これらのビットは、ペイロード、帯域幅、およびＭＩＭＯオーダー（適用可能な場合）を表し得る。
【００５４】
[受信機適合のためのデバイスサポート（Device Support for Receiver Adaptation）］
[0077]  デバイス（例えば、局）は、他のデバイスへの受信機適合のためのサポートをシグナリングし得るまたはしない可能性がある。例えば、いくつかの実装では、サポートは規格によって指定され得る。このケースでは、規格をサポートする全てのデバイスが、本明細書に教示されるような受信機適合をサポートし得る。よって、このケースでは、デバイスは、この適合のためのサポートをシグナリングする必要はない。
【００５５】
[0078]  いくつかの実装では、デバイスは、それらデバイスが本明細書に教示されるような受信機適合をサポートするかどうかを決定するために、ネゴシエート（negotiate）し得る。例えば、通信状態である２つの局が、下記の１つまたは複数を（例えば、アソシエーションの後に）ネゴシエートし得る。局は、（例えば、通信の方向ごとに）本明細書に教示されるような受信機適合のためのサポートをネゴシエートし得る。局は、（例えば、ある規格によって定義されるような固定され得る全体のＥＤＭＧ−ＳＴＦ長に関して）使用されるべき部分の長さをネゴシエートし得る。いくつかの実装では、長さは、（例えば、Ｋ個のユニットで示される）１．７６Ｇｓｐｓにおける１２８個のサンプルのユニットで定義され得る。いくつかの実装では、パラメータＫは、チャネル帯域幅（ＣＢ：channel bandwidth）にしたがってスケーリングする。局は、（例えば、ＥＤＭＧ−ＳＴＦにおいて）使用されるべき信号のタイプをネゴシエートし得る。いくつかの実装では、信号は、（例えば、利得、線形性、ＤＣ／ＬＯリーク、位相ノイズ、ノイズ、干渉、またはそれらの任意の組み合わせを推定するために）本明細書に教示されるタイプの混合を含み得る。
【００５６】
[0079]  図６は、（例えば、ＥＤＭＧ−ＳＴＦによって搬送される）パイロット繰り返しのシーケンスに基づいて推定するためのサポートを指示する６１０ために、第１の装置６０２が第２の装置６０４とそれぞれのトランシーバ６０６および６０８を介してネゴシエートするワイヤレス通信システム６００を図示する。ここで、第１の装置６０２は、（例えば、シーケンスの利得を調整すること、またはハイパスフィルタリングをシーケンスに適用することによって）パイロット繰り返しのシーケンスに基づいた推定のための処理６１２を行い得、一方、第２の装置６０４は、（例えば、受信したシーケンスの処理に基づいて１つまたは複数の受信機パラメータを調整する）パイロット繰り返しのシーケンスに基づいた推定６１４を行い得る。第１の装置６０２または第２の装置６０４のいずれかまたは両方は、パイロット繰り返しのシーケンスに基づいた推定がサポートされることを示すインジケーションを他のデバイスに送り得る。いくつかのケースでは、インジケーションは、シーケンスが修正されるであろうまたは修正されたとのシーケンスの変調のためのサポート、シーケンス修正のタイプ、シーケンスに適用される利得、シーケンスに適用されるフィルタの特性、修正されたシーケンスの長さ、シーケンスの何らかの他の特性、またはそれらの任意の組み合わせ、を示し得る。したがって、このようなインジケーションを受信すると、受信デバイスは、適宜、その推定に関連したオペレーションを行い得る。例えば、パイロット繰り返しのシーケンスに基づいた推定のための処理６１２が、そのインジケーションと一致する方法でシーケンスを修正し得る。同様に、パイロット繰り返しのシーケンスに基づいた推定６１４が、そのインジケーションと一致する方法で行われ得る。
【００５７】
[0080]  デバイスは、様々な方法でネゴシエートし得る。いくつかの実装では、ネゴシエーションは、この推定および／または推定のために使用される１つまたは複数のパラメータのためのサポートをネゴシエートすることを含む。いくつかの実装では、デバイスは、ネゴシエートするために情報要素（ＩＥ：information elements）およびアソシエーション処理（association process）を使用し得る。いくつかの実装では、ＥＤＭＧヘッダ−Ａは、推定の目的のためのＥＤＭＧ−ＳＴＦの修正の存在、信号の長さ（例えば、Ｋの値）、または使用されている信号のタイプ、のうちの１つまたは複数を（例えば、１つまたは複数のビットを介して）シグナリングし得る。
【００５８】
[ＳＴＦフィールドの再使用（Re-using the STF Field）］
[0081]  本開示は、いくつかの態様では、効率的な通信のためにＳＴＦフィールドの少なくとも一部分（例えば、ＥＤＭＧ−ＳＴＦフィールドの最初の部分）を再使用することに関する。例えば、最後のＥＤＭＧヘッダ−Ａシンボルの後のＧＩの終端の後に開始する時間は、様々な推定のために使用されるべきパターンを送るために使用され得る。ＳＴＦフィールド（例えば、パターン）を介して送られる信号は、非線形推定、ＤＣ／ＬＯリーク推定（leakage estimation）、位相ノイズ推定、またはノイズ／干渉推定のために使用されることができる信号の任意の組み合わせであり得る。（例えば、毎秒１．７６ギガサンプル（Ｇｓｐｓ）のチャネル帯域幅を使用する）１つの例となる実装では、第１の１０２４個のサンプルが推定についてのパターンを送るために使用され得る。これらの推定は、有利なことに、受信機における等化、デシメーション、または周波数補正の必要性を低減（例えば、削除）し得る。
【００５９】
[利得および線形性の推定（Estimating Gain and Linearity）］
[0082]  本開示は、いくつかの態様では、利得および線形性を推定することに関する。例えば、複数のエネルギ（several energies）を有するシーケンスを使用することによって、受信機は、時間に先立って（例えば、受信機に到達するいくつかまたは全てのペイロードの前に）、ペイロードの線形性を推定することができる。この線形性の事前推定は、例えば、ＳＣ高次ＱＡＭまたはＯＦＤＭに関して有利であり得る。
【００６０】
[0083]  高レベルの線形性と、高出力電力における関連したより低いレベルの歪みは、注意深い較正（careful calibration）、プリデイストーション（pre-distortion）、および適応プリデイストーション（adaptive predistortion）、または高いバックオフレベル（high backoff level）を通して達成され得る。しかしながら、これらの技法は、工場の較正要件、追加のまたはさらに高価なハードウェアおよび電力、または低減された電力レベルのために、より高いコストに関連付けられ得る。本明細書での教示によると、本開示は、いくつかの態様では、位相変調ヘッダ（phase modulated header）の振幅変調に基づいた非線形推定に関する。本技法は、例えば、８０２．１１ａｄデバイスおよび８０２．１１ａｙデバイスなどのシングルキャリア（ＳＣ）変調および／または直交周波数分割多重化（ＯＦＤＭ）を利用する任意のタイプのワイヤレスデバイスに適用され得る。
【００６１】
[0084]  上述されるように、フレームのフィールド（例えば、ＥＤＭＧ−ＳＴＦの最初の部分）は、受信機が利得および線形性を推定することを可能にするように定義される信号を含み得る。いくつかのタイプの信号が使用され得る。いくつかの実装では、信号の長さ（例えば、推定のために使用されるシーケンスの部分）は、（例えば、１．７６Ｇｓｐｓにおける）Ｋ倍の１２８個のサンプルであり得る。
【００６２】
[0085]  いくつかの実装では、信号は、階段型の形態をとり得る。例えば、信号は、標準ＥＤＭＧ−ＳＴＦ（π／２回転したＢＰＳＫゴレイ（pi/2 rotated BPSK Golays））と同じであり得るが、Ｍ個の異なる振幅値を有する。いくつかの実装では、振幅値は、（ＣＢを用いてスケーリングされる）１．７６Ｇｓｐｓにおいて
【００６３】
【数１】
2020512711.tif 000003
【００６４】
のサンプルごとに変化し得る。Ｍ個の異なる値は、定義されたリストによって設定され得る。一例として、Ｍ＝８は、（０．７５、１．０、１．２５、１．５、１．７５、２．０、２．２５、２．５）の値を有し、ここで、１が公称電力（nominal power）である。他の値が使用され得る。いくつかの実装では、振幅値は、パイロット繰り返しのたび（例えば、Ｇａが異なる電力レベルで送られ得るたび）に、または他のインターバルにおいて、変化し得る。
【００６５】
[0086]  いくつかの実装では、信号は、振幅スロープ（amplitude slope）（例えば、デュアルスロープ（dual slope））の形態をとり得る。例えば、信号は、標準ＥＤＭＧ−ＳＴＦ（π／２回転したＢＰＳＫゴレイ）と同じであり得るが、推定に関連したシグナリングのために使用される前半部分（the first half of the portion）に関するａ１とａ２との間の線形補間を使用する振幅のバリエーションを有し、その後に後半部分（the second half of the portion）に関するａ２とａ１との間の線形補間を使用する振幅のバリエーションが続く。いくつかの実装では、ａ１に関する値は０．５であり、ａ２に関する値は２．５である。他の値が使用され得る。
【００６６】
[0087]  いくつかの実装では、信号は、電力スロープ（power slope）（例えば、デュアルスロープ）の形態をとり得る。power slopeいくつかの実装では、ｐ１に関する値は０．２５であり、ｐ２に関する値は６である。他の値が使用され得る。
【００６７】
[0088]  上記を鑑みると、本開示は、いくつかの態様では、位相変調された少なくとも第１のヘッダを有するフレームを通信することに関し、電力増幅器を介する増幅の前に送信中の第１のヘッダの振幅変調を行うことに関する。例えば、第１のデバイスは、位相変調された少なくとも第１のヘッダを有するフレームを生成し、電力増幅器による増幅の前に第１のヘッダにおける振幅変調を行い、フレームを第２のデバイスに送り得る。第２のデバイスは、よって、位相変調された少なくとも第１のヘッダを有するフレームを取得し、第１のヘッダの振幅変調に関する情報に基づいて伝達関数（transfer function）を推定し、推定された伝達関数に基づいてフレーム（例えば、データ）の残りの部分を処理し得る。例えば、デマッパ（de-mapper）は、受信した信号の圧縮のより良い推定を得るために異なる利得を使用し、それにより、圧縮を埋め合わせ得る。よって、有利なことに、受信機がヘッダを復号している間、比較的シンプルなハードウェアは並行して非線形性を推定するために使用され得る。受信機のパフォーマンスは、それにより、フレームにおける後続の情報をより良く受信するために急速に適合され得る。
【００６８】
[0089]  ヘッダは、送信機または受信機による電力増幅器の線形性の推定を可能にするために、様々な信号振幅を組み込み得る。この推定は、受信機において既知であるあらかじめ定められたパターンに基づいて、受信されたおよび推定された振幅変調と予測された変調との比較に基づき得る。いくつかのケースでは、受信機は、（例えば、振幅変調が適用されたフレーム、または前のフレームにおいて）あらかじめ定められたパターンに関する情報を取得し得る。いくつかのケースでは、振幅変調のためのあらかじめ定められたパターンは、例えば、規格において定義され得る。あらかじめ定められたパターンは、位相変調を変化させることなく組み込まれ得、ヘッダの既存の復調に対して全く影響を与えないかそれに近い状態を有し得る。例えば、振幅変調を処理することが可能なワイヤレスノードは、既存の位相変調部分に沿って復号可能な振幅変調パターンを発見することができた。振幅変調を処理することをサポートしない他のワイヤレスノードは、位相変調された部分を未だ復号することができる。送信機または受信機は次いで、いずれのさらなる情報交換も行うことなく、受信機のパフォーマンスを改善するために、推定された非線形性を埋め合わせ得る。必ずしも必要ではないが、送信機と受信機との間のさらなる情報の交換もまた（例えば、振幅変調のために送信側で使用される特定のパターンを識別するために）提供され得る。あらかじめ定められたパターンは、平均電力に基づいて公称振幅値から変化する振幅を含み得る。例えば、あらかじめ定められたパターンは、公称振幅値よりも低いまたは高い振幅を含み得る。あらかじめ定められたパターンはまた、振幅変調のない実装に関する円滑な変換を含み得、帯域外輻射アーティファクト（out of band emission artifacts）などの他のパラメータに影響を与えることを避けるように設計され得る。
【００６９】
[ＤＣリークまたはＬＯリークの推定（Estimating DC Leakage or LO Leakage）］
[0090]  本開示は、いくつかの態様では、高周波数コンテンツのみを送ることによってＤＣ／ＬＯリークを推定することに関し、ＤＣ周辺にエネルギを送ることを避ける。ハイパスフィルタリングされたシーケンスを使用することによって、受信機は、時間に先立って（例えば、受信機にいくつかのまたは全てのペイロードが到達する前に）ペイロードに関連付けられたＤＣ／ＬＯリークを推定することが可能である。
【００７０】
[0091]  上述されるように、フレームのフィールド（例えば、ＥＤＭＧ−ＳＴＦの最初の部分）は、受信機がＤＣ／ＤＣリークを推定することを可能にするように定義される信号を含み得る。いくつかのタイプの信号が使用され得る。いくつかの実装では、信号の長さ（例えば、推定のために使用されるシーケンスの部分）は、（例えば、１．７６Ｇｓｐｓにおける）Ｋ倍の１２８個のサンプルであり得る。
【００７１】
[0092]  いくつかの実装では、当初の信号は、標準ＥＤＭＧ−ＳＴＦ（π／２回転したＢＰＳＫゴレイ）または利得および線形性を推定するために上述された信号の形態をとる。この当初の信号は、直流（ＤＣ）周波数範囲を減衰させるハイパスフィルタ（ＨＰＦ）によってフィルタリングされ得る。例えば、いくつかの実装では、この減衰は、±４ＭＨｚの範囲の間である。いくつかの実装では、ＨＰＦは、少なくとも３５ｄＢの減衰を提供する。他の特性を有するフィルタが使用されてもよい。
【００７２】
[0093]  上記を鑑みると、本開示は、いくつかの態様では、位相変調された少なくとも第１のヘッダを有するフレームを通信することに関し、電力増幅器を介する増幅の前に送信中の第１のヘッダのハイパスフィルタリングを行うことに関する。例えば、第１のデバイスは、位相変調された少なくとも第１のヘッダを有するフレームを生成し、電力増幅器による増幅の前に第１のヘッダにおけるハイパスフィルタリングを行い、フレームを第２のデバイスに送り得る。第２のデバイスは、よって、位相変調された少なくとも第１のヘッダを有するフレームを取得し、第１のヘッダの通信に関連付けられたＤＣおよびＬＯリークを推定（例えば、ハイパスフィルタリングされた信号のＲＳＳＩ測定からこれらのコンポーネントの電力を推定）し、ＤＣおよびＬＯリークの影響を緩和する方法で、フレーム（例えば、データ）の残りの部分を処理し得る。例えば、受信等化器で使用される係数は、ＤＣ／ＬＯリークを埋め合わせるように調整され得る。よって、受信機がヘッダを復号している間、比較的シンプルなハードウェアが並行してＤＣ／ＬＯリークを推定するために使用され得る。受信機のパフォーマンスは、それにより、フレームにおける後続の情報をより良く受信するために急速に適合され得る。
【００７３】
[位相ノイズの推定（Estimating Phase Noise）］
[0094]  本開示は、いくつかの態様では、シーケンスの繰り返しを送ることによって、位相ノイズを推定することに関する。例えば、受信機は、送信機と受信機との間の周波数オフセットを決定し、それにより位相差を決定するために、異なるパイロット繰り返し（またはシーケンス）間で相互相関または自動相関技法を使用し得る。よって、受信機がヘッダを復号している間、比較的シンプルなハードウェアが位相ノイズを並行して推定するために使用され得る。受信機のパフォーマンスは、それにより、フレームにおける後続の情報をより良く受信するために急速に適合され得る。このようなパフォーマンスの増加は、利用可能な情報を追跡する長い期間を常には有していない可能性のあるワイヤレス通信システム（例えば、Ｗｉ−Ｆｉ）において特に有利であり得る。位相ノイズの早期の推定を取得することによって、このようなシステムにおける受信機は、受信した信号をより高速にロックオン（lock-on）することができる。
【００７４】
[ノイズまたは干渉の推定（Estimating Noise or Interference）］
[0095]  本開示は、いくつかの態様では、シーケンスの繰り返しを送ることによって、ノイズおよび／または干渉（本明細書ではノイズ／干渉と呼ばれ得る）を推定することに関する。例えば、受信機は、ノイズおよび／または干渉がチャネル上に存在すると決定するために、異なるパイロット繰り返し（または、シーケンス）間の差分（例えば、減算（subtraction））を使用し得る。よって、受信機がヘッダを復号している間、比較的シンプルなハードウェアが並行してノイズ／干渉を推定するために使用され得る。受信機のパフォーマンスは、それにより、フレームにおける後続の情報をより良く受信するために（例えば、ノイズをスケーリングすることにより）迅速に適合され得る。
【００７５】
［例となるワイヤレス通信システム（Example Wireless Communication System）］
[0096]  本明細書での教示は、様々なワイヤレス技法および／または様々なスペクトルを使用して実装され得る。ワイヤレスネットワーク技術は、様々なタイプのワイヤレスローカルエリアネットワーク（ＷＬＡＮ）を含み得る。ＷＬＡＮは、広く使用されるネットワーキングプロトコルを用いて、近くのデバイスを共に相互接続するために使用され得る。本明細書で説明される様々な態様は、Ｗｉ−Ｆｉ、またはより一般的には、無線プロトコルのＩＥＥＥ ８０２．１１ファミリの任意のメンバなどの、任意の通信規格に適用され得る。
【００７６】
[0097]  いくつかの態様では、ワイヤレス信号は、直交周波数分割多重化（ＯＦＤＭ）、直接拡散方式（ＤＳＳＳ：direct-sequence spread spectrum）通信、シングルキャリア（ＳＣ）、ＯＦＤＭとＳＣとＤＳＳＳ通信との組み合わせ、または他のスキームを使用する８０２．１１プロトコルにしたがって送信され得る。
【００７７】
[0098]  本明細書で説明される特定のデバイスはさらに、多入力多出力（ＭＩＭＯ）技術を実装し、８０２．１１プロトコルの一部として実装され得る。ＭＩＭＯシステムは、データ伝送（data transmission）のために、複数（Ｎｔ個）の送信アンテナと、複数（Ｎｒ個）の受信アンテナとを用いる。Ｎｔ個の送信アンテナとＮｒ個の受信アンテナとによって形成されるＭＩＭＯチャネルは、空間チャネルまたはストリームとも呼ばれるＮＳ個の独立チャネルに分解され得、ここで、ＮＳ≦ｍｉｎ｛Ｎｔ，Ｎｒ｝である。ＮＳ個の独立チャネルの各々は、１つの次元に対応する。複数の送信アンテナおよび受信アンテナによって生成される追加の次元が利用される場合、ＭＩＭＯシステムは、改善された性能（例えば、より高いスループットおよび／またはより大きな信頼性）を提供し得る。
【００７８】
[0099]  いくつかの実装では、ＷＬＡＮは、ワイヤレスネットワークにアクセスする様々なデバイスを含む。例えば、アクセスポイント（「ＡＰ」）と（局または「ＳＴＡ」とも呼ばれる）クライアントとの２つのタイプのデバイスが存在し得る。一般に、ＡＰは、ＷＬＡＮのためのハブまたは基地局として機能し、ＳＴＡは、ＷＬＡＮのユーザとして機能する。例えば、ＳＴＡは、ラップトップコンピュータ、携帯情報端末（ＰＤＡ）、モバイル電話などであり得る。一例では、ＳＴＡは、インターネットへの、または他のワイドエリアネットワークへの一般的な接続性を取得するために、Ｗｉ−Ｆｉ（例えば、ＩＥＥＥ８０２．１１プロトコル）準拠ワイヤレスリンクを介してＡＰに接続する。いくつかの実装では、ＳＴＡはまた、ＡＰとして使用され得る。
【００７９】
[0100]アクセスポイント（「ＡＰ」）はまた、送受信ポイント（ＴＲＰ：Transmit Receive Point）ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、または何らかの他の用語を含むか、それらとして実装されるか、またはそれらとして知られ得る。
【００８０】
[0101]  局「ＳＴＡ」はまた、アクセス端末（「ＡＴ」）、加入者局、加入者ユニット、モバイル局、リモート局、リモート端末、ユーザ端末、ユーザエージェント、ユーザデバイス、ユーザ機器、または何らかの他の用語を含むか、それらとして実装されるか、またはそれらとして知られ得る。いくつかの実装では、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適切な処理デバイスを含み得る。したがって、本明細書で教示される１つまたは複数の態様は、電話（例えば、セルラフォンまたはフォンフォン）、コンピュータ（例えば、ラップトップ）、ポータブル通信デバイス、ヘッドセット、ポータブルコンピューティングデバイス（例えば、パーソナルデータアシスタント）、エンターテインメントデバイス（例えば、音楽またはビデオデバイス、または衛星ラジオ）、ゲームデバイスまたはシステム、全地球測位システムデバイス、またはワイヤレス媒体を介して通信するように構成された任意の他の適切なデバイス中に組み込まれ得る。
【００８１】
[0102]  図７は、本開示の態様が用いられ得るワイヤレス通信システム７００の例を図示する。ワイヤレス通信システム７００は、ワイヤレス規格、例えば、８０２．１１規格に準拠して動作し得る。ワイヤレス通信システム７００は、ＳＴＡ７０６ａ、７０６ｂ、７０６ｃ、７０６ｄ、７０６ｅ、および７０６ｆ（ひとまとめにしてＳＴＡ７０６）と通信するＡＰ７０４を含み得る。
【００８２】
[0103]  ＳＴＡ７０６ｅおよび７０６ｆは、ＡＰ７０４と通信することが困難であり得るか、または範囲外にありＡＰ７０４と通信することができない可能性がある。このように、別のＳＴＡ７０６ｄは、ＡＰ７０４とＳＴＡ７０６ｅおよび７０６ｆとの間の通信をリレーするリレーデバイス（例えば、ＳＴＡおよびＡＰの機能を含むデバイス）として構成され得る。
【００８３】
[0104]  様々な処理および方法が、ＡＰ７０４とＳＴＡ７０６との間の、ワイヤレス通信システム７００内における送信のために使用され得る。例えば、信号は、ＯＦＤＭ／ＯＦＤＭＡ技法にしたがって、ＡＰ７０４とＳＴＡ７０６との間で送受信され得る。このケースの場合、ワイヤレス通信システム７００はＯＦＤＭ／ＯＦＤＭＡシステムと呼ばれ得る。代替的に、信号は、ＣＤＭＡ技法にしたがって、ＡＰ７０４とＳＴＡ７０６との間で送受信され得る。このケースの場合、ワイヤレス通信システム７００は、ＣＤＭＡシステムと呼ばれ得る。
【００８４】
[0105]  ＡＰ７０４からＳＴＡ７０６のうちの１つまたは複数ヘの送信を容易にする通信リンクは、ダウンリンク（ＤＬ）７０８と呼ばれ、ＳＴＡ７０６のうちの１つまたは複数からＡＰ７０４への送信を容易にする通信リンクは、アップリンク（ＵＬ）７１０と呼ばれ得る。代替的に、ダウンリンク７０８は、順方向リンクまたは順方向チャネルと呼ばれ得、アップリンク７１０は、逆方向リンクまたは逆方向チャネルと呼ばれ得る。
【００８５】
[0106]  ＡＰ７０４は、基地局として機能し、基本サービスエリア（ＢＳＡ）７０２中にワイヤレス通信カバレッジを提供し得る。ＡＰ７０４に関連付けられかつ通信のためにＡＰ７０４を使用するＳＴＡ７０６とともに、ＡＰ７０４はベーシックサービスセット（ＢＳＳ）と呼ばれ得る。
【００８６】
[0107]  アクセスポイントは、よって、ネットワークのカバレッジエリア内にインストールされ得るか、またはそれを通じてローミングし得る１つまたは複数のアクセス端末のための１つまたは複数のサービス（例えば、ネットワーク接続）にアクセスを提供するために、通信ネットワーク中に配置され得る。例えば、時間内の様々なポイントにおいて、アクセス端末は、ＡＰ７０４に、またはネットワーク中の何らかの他のアクセスポイント（図示せず）に接続し得る。
【００８７】
[0108]  アクセスポイントの各々は、ワイドエリアネットワーク接続を容易にするために、互いを含む１つまたは複数のネットワークエンティティ（便宜のために、図７ではネットワークエンティティ７１２と表される）と通信し得る。ネットワークエンティティは、例えば、１つまたは複数の無線ネットワークエンティティおよび／またはコアネットワークエンティティなどの様々な形態をとり得る。よって、様々な実装では、ネットワークエンティティ７１２は、（例えば、認証、承認、および課金（ＡＡＡ：authentication, authorization, and accounting）サーバを介する）ネットワーク管理、セッション管理、モビリティ管理、ゲートウェイ機能、相互作用機能、データベース機能、または何らかの他の適切なネットワーク機能、のうちの少なくとも１つなどのような機能を表し得る。そのようなネットワークエンティティの２つ以上はコロケートされ得る、および／またはそのようなネットワークエンティティの２つ以上はネットワーク中に分散され得る。
【００８８】
[0109]  ワイヤレス通信システム７００は、いくつかの実装では、中央ＡＰ７０４を有していない可能性があるが、ＳＴＡ７０６間のピア・ツー・ピア・ネットワークとして機能し得ることに留意されたい。したがって、本明細書で説明されているＡＰ７０４の機能は、代替的に、ＳＴＡ７０６の１つまたは複数によって行われ得る。また、上述されるように、リレーは、ＡＰおよびＳＴＡの機能の少なくともいくつかを組み込み得る。
【００８９】
[0110]  図８は、ワイヤレス通信システム７００内で用いられ得る装置８０２（例えば、ワイヤレスデバイス）において利用され得る様々なコンポーネントを図示する。装置８０２は、本明細書で説明される様々な方法を実装するように構成され得るデバイスの例である。例えば、装置８０２は、図７のＡＰ７０４、リレー（例えば、ＳＴＡ７０６ｄ）、またはＳＴＡ７０６のうちの１つとして実装され得る。別の例では、装置８０２は、図１の第１の装置１０２、図１の第２の装置１０６、図６の第１の装置６０２、または図６の第２の装置６０４のうちの任意のものに対応し得る。
【００９０】
[0111]  装置８０２は、装置８０２のオペレーションを制御する処理システム８０４を含み得る。処理システム８０４はまた、中央処理ユニットとも呼ばれ得る。読み取り専用メモリ（ＲＯＭ）およびランダムアクセスメモリ（ＲＡＭ）の両方を含み得る、（例えば、メモリデバイスを含む）メモリコンポーネント８０６は、命令およびデータを処理システム８０４に提供する。メモリコンポーネント８０６の一部分はまた、不揮発性ランダムアクセスメモリ（ＮＶＲＡＭ）も含み得る。処理システム８０４は通常、メモリコンポーネント８０６内に記憶されたプログラム命令に基づいて論理および算術演算を行う。メモリコンポーネント８０６内の命令は本明細書で説明される方法を実装するように実行可能であり得る。
【００９１】
[0112]  装置８０２が、送信ノードとして実装または使用されるとき、処理システム８０４は、複数の媒体アクセス制御（ＭＡＣ）ヘッダタイプのうちの１つを選択し、そのＭＡＣヘッダタイプを有するパケットを生成するように構成され得る。例えば、処理システム８０４は、ＭＡＣヘッダおよびペイロードを含むパケットを生成し、どのタイプのＭＡＣヘッダを使用するかを決定するように構成され得る。
【００９２】
[0113]  装置８０２が、受信ノードとして実装または使用されるとき、処理システム８０４は、複数の異なるＭＡＣヘッダタイプのパケットを処理するように構成され得る。例えば、処理システム８０４は、パケットで使用されているＭＡＣヘッダのタイプを決定し、ＭＡＣヘッダのフィールドおよび／またはパケットを処理するように構成され得る。
【００９３】
[0114]  処理システム８０４は、１つまたは複数のプロセッサで実装されるより大きい処理システムのコンポーネントであり得るか、またはそれを含み得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理、離散ハードウェアコンポーネント、専用ハードウェア有限ステートマシン、または計算あるいは情報の他の操作を行うことができる任意の他の適切なエンティティの任意の組み合わせを用いて実装され得る。
【００９４】
[0115]  処理システムはまた、ソフトウェアを記憶するための機械可読媒体も含み得る。ソフトウェアは、ソフトウェア、ファームウェア、ミドルウェア、マイクロコード、ハードウェア記述言語と呼ばれるか、またはそれ以外で呼ばれるかにかかわらず、任意のタイプの命令を意味するように広く解釈されるべきである。命令は、（例えば、ソースコードフォーマット、バイナリコードフォーマット、実行可能コードフォーマット、または任意の他の適切なコードのフォーマットにおいて）コードを含み得る。命令は、１つまたは複数のプロセッサによって実行されたとき、処理システムに、本明細書で説明される様々な機能を行わせる。
【００９５】
[0116]  装置８０２はまた、装置８０２と遠隔ロケーションとの間のデータの送受信を可能にする送信機８１０および受信機８１２を含み得る、ハウジング８０８を含み得る。送信機８１０および受信機８１２は、単一の通信デバイス（例えば、トランシーバ８１４）に統合され得る。アンテナ８１６は、ハウジング８０８に取り付けられ、トランシーバ８１４に電気的に結合され得る。装置８０２はまた、複数の送信機、複数の受信機、複数のトランシーバ、および／または複数のアンテナ（図示せず）を含み得る。送信機８１０および受信機８１２は、いくつかの実装では、（例えば、単一の通信デバイスの送信機回路および受信機回路として具現化される）一体化されたデバイスをとして実装され得るか、いくつかの実装では、別個の送信機デバイスと受信機デバイスとして実装され得るか、または他の実装では、他の方法で具現化され得る。
【００９６】
[0117]  送信機８１０は、異なるＭＡＣヘッダタイプを有するパケットをワイヤレスに送信するように構成され得る。例えば、送信機８１０は、上記で論じられた、処理システム８０４によって生成される異なるタイプのヘッダを有するパケットを送信するように構成され得る。
【００９７】
[0118]  受信機８１２は、異なるＭＡＣヘッダタイプを有するパケットをワイヤレスに受信するように構成され得る。いくつかの態様では、受信機８１２は、使用されているＭＡＣヘッダのタイプを検出し、適宜、パケットを処理するように構成される。
【００９８】
[0119]  受信機８１２は、トランシーバ８１４によって受信された信号のレベルを検出および数量化するために使用され得る。受信機８１２は、そのような信号を、総エネルギ、シンボルあたりのサブキャリアごとのエネルギ、電力スペクトル密度、および他の信号として検出し得る。装置８０２はまた、信号を処理する際に使用するためのデジタル信号プロセッサ（ＤＳＰ）８２０を含み得る。ＤＳＰ８２０は、送信用のデータユニットを生成するように構成され得る。いくつかの態様では、データユニットは、物理レイヤデータユニット（ＰＰＤＵ：physical layer data unit）を含み得る。いくつかの態様では、ＰＰＤＵは、パケットと呼ばれる。
【００９９】
[0120]  装置８０２はさらに、いくつかの態様では、ユーザインターフェース８２２を含み得る。ユーザインターフェース８２２は、キーパッド、マイクロフォン、スピーカ、および／またはディスプレイを含み得る。ユーザインターフェース８２２は、装置８０２のユーザに情報を搬送し、および／またはユーザからの入力を受信する任意の要素またはコンポーネントを含み得る。
【０１００】
[0121]  装置８０２の様々なコンポーネントは、バスシステム８２６によって共に結合され得る。バスシステム８２６は、データバスを含み得、データバスに加えて、同様に、例えば、電力バス、制御信号バス、およびステータス信号を含み得る。当業者は、装置８０２のコンポーネントが、何らかの他のメカニズムを使用して複数の入力を互いに結合するか、受け入れるか、または提供され得ることを理解するだろう。
【０１０１】
[0122]  いくつかの別個のコンポーネントが図８に図示されているが、これらコンポーネントのうちの１つまたは複数が組み合わせられるか、または共通して実装され得る。例えば、処理システム８０４は、処理システム８０４に関して上述された機能を実装するだけでなく、トランシーバ８１４および／またはＤＳＰ８２０に関して上述された機能を実装するためにも使用され得る。さらに、図８に例示されたコンポーネントの各々は、複数の別個の要素を使用して実現され得る。さらに、処理システム８０４は、以下で説明されるコンポーネント、モジュール、回路などのうちの任意のものを実装するために使用され得るか、または各々が複数の別個の要素を使用して実装され得る。
【０１０２】
[0123]  参照を容易にするために、装置８０２が送信ノードとして構成されるとき、それは、以下では装置８０２ｔと呼ばれる。同様に、装置８０２が受信ノードとして構成されるとき、それは、以下では装置８０２ｒと呼ばれる。ワイヤレス通信システム７００中のデバイスは、送信ノードの機能のみを、受信ノードの機能のみを、または送信ノードおよび受信ノードの両方の機能を実装し得る。
【０１０３】
[0124]  上述されるように、装置８０２は、ＡＰ７０４またはＳＴＡ７０６の形態をとり得、複数のＭＡＣヘッダタイプを有する通信を送信および／または受信するために使用され得る。
【０１０４】
[0125]  図８のコンポーネントが様々な方法で実装され得る。いくつかの実装では、図８のコンポーネントは、例えば、１つまたは複数のプロセッサおよび／または（１つまたは複数のプロセッサを含み得る）１つまたは複数のＡＳＩＣなどの、１つまたは複数の回路に実装され得る。ここで、各回路は、この機能を提供するためにその回路によって使用される実行可能コードまたは情報を記憶するための少なくとも１つのメモリコンポーネントを使用および／または組み込み得る。例えば、図８のブロックによって表される機能のうちのいくつかまたは全ては、（例えば、適切なコードの実行によっておよび／またはプロセッサコンポーネントの適切な構成によって）装置のプロセッサおよびメモリコンポーネントで実装され得る。これらコンポーネントが、異なる実装において（例えば、ＡＳＩＣ中、システムオンチップ（ＳｏＣ）中など）異なるタイプの装置に実装され得ることが認識されるべきである。
【０１０５】
[0126]  上述されるように、装置８０２は、ＡＰ７０４またはＳＴＡ７０６、リレー、あるいは何らかの他のタイプの装置の形態をとり得、通信を送信および／または受信するために使用され得る。図９は、ワイヤレス通信を送信するための装置８０２ｔで利用され得る様々なコンポーネントを図示する。図９に図示されているコンポーネントは、例えば、ＯＦＤＭ通信を送信するために使用され得る。いくつかの態様では、図９で図示されたコンポーネントは、１ＭＨｚ以下の帯域幅を介して送られるべきパケットを生成および送信するために使用され得る。
【０１０６】
[0127]  図９の装置８０２ｔは、送信のためのビットを変調するように構成された変調器９０２を含み得る。例えば、変調器９０２は、例えば、コンステレーションにしたがって複数のシンボルにビットをマッピングすることによって、処理システム８０４（図８）またはユーザインターフェース８２２（図８）から受信されるビットから複数のシンボルを決定し得る。ビットは、ユーザデータにまたは制御情報に対応し得る。いくつかの態様では、ビットは、コードワードで受信される。一態様では、変調器９０２は、例えば、１６ＱＡＭ変調器または６４ＱＡＭ変調器のような、ＱＡＭ（直交振幅変調）変調器を含み得る（例えば、ＱＡＭ変調器であり得る）。他の態様では、変調器９０２は、２相位相シフトキーイング（ＢＰＳＫ）変調器、４相位相シフトキーイング（ＱＰＳＫ）変調器、または８−ＰＳＫ変調器を含み得る（例えば、それらであり得る）。
【０１０７】
[0128]  装置８０２ｔはさらに、シンボルを、またはそうでなければ変調器９０２からの変調されたビットを、時間領域にコンバートするように構成された変換モジュール９０４を含み得る。図９では、変換モジュール９０４は、逆高速フーリエ変換（ＩＦＦＴ：inverse fast Fourier transform）モジュールで実装されるように図示されている。いくつかの実装では、異なるサイズのデータのユニットを変換する複数の変換モジュール（図示せず）が存在し得る。いくつかの実装では、変換モジュール９０４はそれ自体が、異なるサイズのデータのユニットを変換するように構成され得る。例えば、変換モジュール９０４は、複数のモードで構成され、各モードでシンボルをコンバートするために異なる数のポイントを使用し得る。例えば、ＩＦＦＴは、３２トーン（すなわち、サブキャリア）にわたり送信されているシンボルを時間領域にコンバートするために３２個のポイントが使用されるモード、および６４トーンにわたり送信されているシンボルを時間領域にコンバートするために６４個のポイントが使用されるモードを有し得る。変換モジュール９０４によって使用されるポイントの数は、変換モジュール９０４のサイズを指し得る。
【０１０８】
[0129]  図９では、変調器９０２および変換モジュール９０４が、ＤＳＰ９２０中に実装されるように例示されている。しかしながら、いくつかの態様では、変調器９０２および変換モジュール９０４のうちの一方または両方は、処理システム８０４中に、あるいは装置８０２ｔの別の要素（例えば、図８に関する上の説明を参照）中に実装される。
【０１０９】
[0130]  上述されるように、ＤＳＰ９２０は、送信のためのデータユニットを生成するように構成され得る。いくつかの態様では、変調器９０２および変換モジュール９０４は、制御情報および複数のデータシンボルを含む複数のフィールドを含むデータユニットを生成するように構成され得る。
【０１１０】
[0131]  図９の説明に戻ると、装置８０２ｔはさらに、変換モジュールの出力をアナログ信号にコンバートするように構成されたデジタルアナログコンバータ９０６を含み得る。例えば、変換モジュール９０４の時間領域出力は、デジタルアナログコンバータ９０６によってベースバンドＯＦＤＭ信号にコンバートされ得る。デジタルアナログコンバータ９０６は、処理システム８０４中に、または図８の装置８０２の別の要素中に実装され得る。いくつかの態様では、デジタルアナログコンバータ９０６は、トランシーバ８１４（図８）またはデータ送信プロセッサ中に実装される。
【０１１１】
[0132]  アナログ信号は、送信機９１０によってワイヤレスに送信され得る。アナログ信号はさらに、例えば、フィルタされることによって、あるいは、中間またはキャリア周波数にアップコンバートされることによって、送信機９１０によって送信される前に処理され得る。図９に図示されている態様では、送信機９１０は、送信増幅器９０８を含む。送信の前に、アナログ信号は、送信増幅器９０８によって増幅され得る。いくつかの態様では、増幅器９０８は、低ノイズ増幅器（ＬＮＡ：low noise amplifier）を含み得る（例えば、それであり得る）。
【０１１２】
[0133]  送信機９１０は、アナログ信号に基づいて、ワイヤレス信号において１つまたは複数のパケットまたはデータユニットを送信するように構成される。データユニットは、処理システム８０４（図８）、および／または、例えば、上述されるような変調器９０２および変換モジュール９０４を使用するＤＳＰ９２０を使用して、生成され得る。上述されるように、生成および送信され得るデータユニットは、以下でさらに詳細に説明されている。
【０１１３】
[0134]  図１０は、ワイヤレス通信を受信するために図８の装置８０２で利用され得る様々なコンポーネントを図示する。図１０に図示されているコンポーネントは、例えば、ＯＦＤＭ通信を受信するために使用され得る。例えば、図１０に図示されているコンポーネントは、図９に関して上述されたコンポーネントによって送信されたデータユニットを受信するために使用され得る。
【０１１４】
[0135]  装置８０２ｒの受信機１０１２は、ワイヤレス信号において１つまたは複数のパケットまたはデータユニットを受信するように構成される。データユニットは、下記に説明されるように、受信および復号、あるいは別の方法で処理され得る。
【０１１５】
[0136]  図１０に図示されている態様では、受信機１０１２は、受信増幅器１００１を含む。受信増幅器１００１は、受信機１０１２によって受信されたワイヤレス信号を増幅するように構成され得る。いくつかの態様では、受信機１０１２は、自動利得制御（ＡＧＣ：automatic gain control）プロシージャを使用して受信増幅器１００１の利得を調整するように構成される。いくつかの態様では、自動利得制御は、利得を調整するために、例えば、受信されたショートトレーニングフィールド（ＳＴＦ）などの１つまたは複数の受信されたトレーニングフィールド中の情報を使用する。当業者は、ＡＧＣを行うための方法を理解するだろう。いくつかの態様では、増幅器１００１は、ＬＮＡを含む（例えば、ＬＮＡであり得る）。
【０１１６】
[0137]  装置８０２ｒは、受信機１０１２からの増幅されたワイヤレス信号をそのデジタル表現にコンバートするように構成されたアナログデジタルコンバータ１０１０を含み得る。増幅されることに加えて、ワイヤレス信号は、例えば、フィルタされることによって、あるいは、中間またはベースバンド周波数にダウンコンバートされることによって、アナログデジタルコンバータ１０１０によってコンバートされる前に処理され得る。アナログデジタルコンバータ１０１０は、処理システム８０４（図８）中に、または装置８０２ｒの別の要素中に実装され得る。いくつかの態様では、アナログデジタルコンバータ１０１０は、トランシーバ８１４（図８）中に、またはデータ受信プロセッサ中に実装される。
【０１１７】
[0138]  装置８０２ｒはさらに、ワイヤレス信号の表現を周波数スペクトルにコンバートするように構成された変換モジュール１００４を含み得る。図１０では、変換モジュール１００４は、高速フーリエ変換（ＦＦＴ）モジュールで実装されるように図示されている。いくつかの態様では、変換モジュールは、それが使用する各ポイントに対するシンボルを識別し得る。図９に関して上述されるように、変換モジュール１００４は、複数のモードで構成され、各モードで信号をコンバートするために異なる数のポイントを使用し得る。変換モジュール１００４によって使用されるポイントの数は、変換モジュール１００４のサイズを指し得る。いくつかの態様では、変換モジュール１００４は、それが使用する各ポイントに対するシンボルを識別することができる。
【０１１８】
[0139]  装置８０２ｒは、データユニットが受信されるチャネルの推定を形成し、そのチャネル推定（channel estimate）に基づいてチャネルの特定の影響を除去するように構成されたチャネル推定器（channel estimator）および等化器（equalizer）１００５をさらに備え得る。例えば、チャネル推定器および等化器１００５は、チャネルの関数を概算するように構成され得、チャネル等化器は、その関数の逆数を周波数スペクトルに中のデータに適用するように構成され得る。
【０１１９】
[0140]  装置８０２ｒはさらに、等化されたデータを復調するように構成された復調器（demodulator）１００６を含み得る。例えば、復調器１００６は、例えば、コンスタレーションにおけるシンボルへのビットのマッピングを逆転させることによって、変換モジュール１００４およびチャネル推定器および等化器１００５によって出力されたシンボルから複数のビットを決定し得る。ビットは、処理システム８０４（図８）によって処理または評価され得るか、あるいは、ユーザインターフェース８２２（図８）に情報を表示、またはそうでなければ出力するために使用され得る。このように、データおよび／または情報が復号され得る。いくつかの態様では、ビットは、コードワードに対応する。一態様では、復調器１００６は、例えば、８ＱＡＭ復調器または６４ＱＡＭ復調器のような、ＱＡＭ（直交振幅変調）復調器を含む（例えば、ＱＡＭ復調器であり得る）。他の態様では、復調器１００６は、２相位相シフトキーイング（ＢＰＳＫ）復調器、または４相位相シフトキーイング（ＱＰＳＫ）復調器を含む（例えば、それらであり得る）。
【０１２０】
[0141]  図１０では、変換モジュール１００４、チャネル推定器および等化器１００５、並びに復調器１００６は、ＤＳＰ１０２０中に実装されるように図示されている。しかしながら、いくつかの態様では、変換モジュール１００４、チャネル推定器および等化器１００５、並びに復調器１００６のうちの１つまたは複数は、処理システム８０４（図８）中に、または装置８０２（図８）の別の要素中に実装される。
【０１２１】
[0142]  上述されるように、受信機８１２で受信されるワイヤレス信号は、１つまたは複数のデータユニットを含む。上述される機能またはコンポーネントを使用して、データユニットまたはその中のデータシンボルは、復号され評価されるか、あるいはそうでなければ、評価または処理され得る。例えば、処理システム８０４（図８）および／またはＤＳＰ１０２０は、変換モジュール１００４、チャネル推定器および等化器１００５、並びに復調器１００６を使用して、データユニット中のデータシンボルを復号するために使用され得る。
【０１２２】
[0143]  ＡＰ７０４とＳＴＡ７０６とによって交換されるデータユニットは、上述されるように、制御情報またはデータを含み得る。物理（ＰＨＹ）レイヤにおいて、これらのデータユニットは、物理レイヤプロトコルデータユニット（ＰＰＤＵ）と呼ばれ得る。いくつかの態様では、ＰＰＤＵは、パケットまたは物理レイヤパケットと呼ばれ得る。各ＰＰＤＵは、プリアンブル（preamble）およびペイロード（payload）を含み得る。プリアンブルは、トレーニングフィールドおよびＳＩＧフィールドを含み得る。ペイロードは、例えば、媒体アクセス制御（ＭＡＣ：Media Access Control）ヘッダまたは他のレイヤについてのデータ、および／またはユーザデータを含み得る。ペイロードは、１つまたは複数のデータシンボルを使用して送信され得る。本明細書中のシステム、方法、およびデバイスは、そのピーク対電力比が最小化されているトレーニングフィールドを有するデータユニットを利用し得る。
【０１２３】
[0144]  図９に示される装置８０２ｔは、アンテナを介する送信のために使用される単一送信チェーンの例である。図１０に示される装置８０２ｒは、アンテナを介して受信するために使用される単一受信チェーンの例である。いくつかの実装では、装置８０２ｔまたは８０２ｒは、データを同時に（simultaneously）送信するために複数のアンテナを使用するＭＩＭＯシステムの一部を実装し得る。
【０１２４】
[0145]  ワイヤレス通信システム７００は、衝突を避けつつ、予測不可能なデータ送信に基づくワイヤレス媒体の効率的アクセスを可能にするための方法を用い得る。このように、様々な態様にしたがって、ワイヤレス通信システム７００は、分散型調整機能（ＤＣＦ：Distributed Coordination Function）と呼ばれ得るキャリアセンス多元接続／衝突回避（ＣＳＭＡ／ＣＡ：carrier sense multiple access/collision avoidance）を行う。より一般的には、送信のためのデータを有する装置８０２は、チャネルが既に占有されているかどうかを決定するために、ワイヤレス媒体を感知する。装置８０２が、チャネルがアイドル状態であることを感知した場合、装置８０２は、準備されたデータを送信する。そうでない場合、装置８０２は、ワイヤレス媒体が送信のためにフリーの状態であるか否かを再度決定する前に、いくらかの期間を延期し得る。ＣＳＭＡを行うための方法は、衝突を避けるために、連続的送信の間の様々なギャップを用い得る。一態様では、送信はフレームとも呼ばれ得、フレーム間のギャップは、フレーム間間隔（ＩＦＳ：Interframe Spacing）と呼ばれ得る。フレームは、ユーザデータ、制御フレーム、管理フレームなどのうちの任意の１つであり得る。
【０１２５】
[0146]  ＩＦＳ時間持続期間は、提供された時間のギャップのタイプにしたがって変わり得る。ＩＦＳのいくつかの例は、ショートフレーム間間隔（ＳＩＦＳ）、ポイントフレーム間間隔（ＰＩＦＳ）、およびＤＣＦフレーム間間隔（ＤＩＦＳ）を含み、ここで、ＳＩＦＳはＰＩＦＳよりも短く、それはＤＩＦＳよりも短い。より短い時間持続期間に後続する送信は、チャネルにアクセスしようと試みる前により長く待機しなければならないものよりも高い優先度を有するだろう。
【０１２６】
[0147]  ワイヤレス装置は、ワイヤレス装置によって送信されるか、またはワイヤレス装置において受信された信号に基づく機能を行う、様々なコンポーネントを含み得る。例えば、いくつかの実装では、ワイヤレス装置は、本明細書に教示されるような受信信号に基づくインジケーションを出力するように構成されたユーザインターフェースを含み得る。
【０１２７】
[0148]  本明細書に教示されるようなワイヤレス装置は、任意の適切なワイヤレス通信技術に基づくか、またはそうでなければ、それをサポートする１つまたは複数のワイヤレス通信リンクを介して通信し得る。例えば、いくつかの態様では、ワイヤレス装置は、ローカルエリアネットワー（例えば、Ｗｉ−Ｆｉネットワーク）またはワイドエリアネットワークなどのネットワークと関連付け得る。この目的を達成するために、ワイヤレス装置は、例えば、Ｗｉ−Ｆｉ、ＷｉＭＡＸ、ＣＤＭＡ、ＴＤＭＡ、ＯＦＤＭ、およびＯＦＤＭＡなどの様々なワイヤレス通信技術、プロトコル、または規格のうちの１つまたは複数をサポートし得るか、またはそうでなければ使用し得る。また、ワイヤレス装置は、様々な対応する変調または多重化方式のうちの１つまたは複数をサポートし得るか、またはそうでなければ使用し得る。よって、ワイヤレス装置は、上記のまたは他のワイヤレス通信技術を使用して１つまたは複数のワイヤレス通信リンクを介して確立および通信するための、適切なコンポーネント（例えば、エアインターフェース）を含み得る。例えば、デバイスは、ワイヤレス媒体を介した通信を容易にする様々なコンポーネント（例えば、信号生成器および信号プロセッサ）を含み得る、関連した送信機および受信機コンポーネントを有するワイヤレストランシーバとして実装され得る。
【０１２８】
[0149]  本明細書での教示は、様々な装置（例えば、ノード）に組み込まれ得る（例えば、それら中に実装され得るか、またはそれらによって行われ得る）。いくつかの態様では、本明細書での教示にしたがって実装される装置（例えば、ワイヤレス装置）は、アクセスポイント、リレー、またはアクセス端末として実装され得る。
【０１２９】
[0150]  アクセス端末は、ユーザ機器、加入者局、加入者ユニット、モバイル局、モバイル、モバイルノード、リモート局、リモート端末、ユーザ端末、ユーザエージェント、ユーザデバイス、または何らかの他の用語を含むか、それらとして実装されるか、またはそれらとして知られ得る。いくつかの実装では、アクセス端末は、セルラ電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の適切な処理デバイスとして実装され得る。したがって、本明細書で教示される１つまたは複数の態様は、電話（例えば、セルラフォンまたはスマートフォン）、コンピュータ（例えば、ラップトップ）、ポータブル通信デバイス、ポータブルコンピューティングデバイス（例えば、パーソナルデータアシスタント）、エンターテイメントデバイス（例えば、音楽デバイス、ビデオデバイス、または衛星ラジオ）、全地球測位システムデバイス、または、ワイヤレスの媒体を介して通信するように構成された任意の他の適切なデバイスに組み込まれ得る。
【０１３０】
[0151]  アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、基地トランシーバ局（ＢＴＳ）、トランシーバ機能（ＴＦ）、無線トランシーバ、無線ルータ、ベーシックサービスセット（ＢＳＳ）、拡張型サービスセット（ＥＳＳ）、マクロセル、マクロノード、ホームｅＮＢ（ＨｅＮＢ）、フェムトセル、フェムトノード、ピコノード、または何らかの他の同様の用語を含み得るか、それらとして実装され得るか、またはそれらとして知られ得る。
【０１３１】
[0152]  リレーは、リレーノード、リレーデバイス、リレー局、リレー装置、または何らかの他の同様の専門用語を含み得るか、それらとして実装され得るか、またはそれらとして知られ得る。上述されるように、いくつかの態様では、リレーは、何らかのアクセス端末機能および何らかのアクセスポイント機能を含み得る。
【０１３２】
[0153]  いくつかの態様では、ワイヤレス装置は、通信システムのためのアクセスデバイス（例えば、アクセスポイント）として実装され得る。そのようなアクセスデバイスは、例えば、有線またはワイヤレス通信リンクを介した、別のネットワーク（例えば、インターネットまたはセルラネットワークのようなワイドエリアネットワーク）への接続を提供する。したがって、アクセスデバイスは、別のデバイス（例えば、ワイヤレス局）が他のネットワークまたは他の何らかの機能にアクセスすることを可能にする。さらに、デバイスの一方または両方が、携帯可能であり得るか、または、いくつかのケースでは、比較的に携帯可能でない可能性があることが認識されるべきである。また、ワイヤレス装置が、適切な通信インターフェースを介した非ワイヤレスの方法で（例えば、有線接続を介して）、情報を送信および／または受信することが可能であり得ることもまた認識されるべきである。
【０１３３】
[0154]  本明細書での教示は、通信システムの様々なタイプに、および／またはシステムコンポーネントに組み込まれ得る。いくつかの態様では、本明細書での教示は、利用可能なシステムリソースを共有することによって（例えば、帯域幅、伝送電力、コーディング、インターリービングなどのうちの１つまたは複数を指定することによって）、複数のユーザとの通信をサポートすることが可能な多元接続システムに用いられる。例えば、本明細書での教示は、符号分割多元接続（ＣＤＭＡ）システム、マルチキャリアＣＤＭＡ（ＭＣＣＤＭＡ）、ワイドバンドＣＤＭＡ（Ｗ−ＣＤＭＡ（登録商標））、高速パケットアクセス（ＨＳＰＡ、ＨＳＰＡ＋）、時分割分割接続（ＴＤＭＡ）、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法などの技術のうちの任意の１つまたはそれらの組み合わせに適用され得る。本明細書での教示を利用するワイヤレス通信システムは、ＩＳ−９５、ｃｄｍａ２０００、ＩＳ−８５６、Ｗ−ＣＤＭＡ、ＴＤＳＣＤＭＡ、および他の規格などの、１つまたは複数の規格を実装するように設計され得る。ＣＤＭＡネットワークは、ユニバーサル地上無線アクセス（ＵＴＲＡ）、ｃｄｍａ２０００、または他の何らかの技術などの、無線技術を実装し得る。ＵＴＲＡは、Ｗ−ＣＤＭＡおよびローチップレート（ＬＣＲ）を含む。ｃｄｍａ２０００技術は、ＩＳ−２０００、ＩＳ−９５、およびＩＳ−８５６規格をカバーする。ＴＤＭＡネットワークは、グローバルシステムフォーモバイルコミュニケーションズ（ＧＳＭ（登録商標））などの無線技術を実装し得る。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ８０２．２０、フラッシュＯＦＤＭ（登録商標）などのような無線技術を実装し得る。ＵＴＲＡ、Ｅ−ＵＴＲＡ、およびＧＳＭは、ユニバーサルモバイル電気通信システム（ＵＭＴＳ）の一部である。本明細書での教示は、３ＧＰＰ（登録商標）ロングタームエボリューション（ＬＴＥ（登録商標））システム、ウルトラモバイルブロードバンド（ＵＭＢ）システム、および他のタイプのシステムに実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名付けられた団体からの文書で説明されているが、ｃｄｍａ２０００は、「第３世代パートナーシッププロジェクト２」（３ＧＰＰ２）と名付けられた団体からの文書で説明されている。本開示のある特定の態様は、３ＧＰＰ用語を使用して説明され得るが、本明細書での教示が３ＧＰＰ（例えば、Ｒｅｌ９９、Ｒｅｌ５、Ｒｅｌ６、Ｒｅｌ７）技術と、並びに、３ＧＰＰ２（例えば、１ｘＲＴＴ、１ｘＥＶ−ＤＯ Ｒｅｌ０、ＲｅｖＡ、ＲｅｖＢ）技術および他の技術に適用され得ることを理解されたい。
【０１３４】
［例となる通信デバイス（Example Communication Device）］
[0155]  図１１は、本開示の特定の態様にしたがった、例となる装置１１００（例えば、ＡＰ、ＡＴまたは何らかの他のタイプのワイヤレス通信ノード）を図示する。装置１１００は、装置１１０２（例えば、集積回路）を含み、任意で、少なくとも１つの他のコンポーネント１１０８を含む。いくつかの態様では、装置１１０２は、ワイヤレス通信ノード（例えば、ＡＰまたはＡＴ）で動作し、本明細書で説明されるオペレーションのうちの１つまたは複数を行い得るように構成され得る。便宜のために、ワイヤレス通信ノードは、本明細書ではワイヤレスノードを指し得る。いくつかの態様では、装置１１０２は、図１の第１の装置１０２、図１の第２の装置１０６、図６の第１の装置６０２、または図６の第２の装置６０４のうちの任意のものに対応し得る。装置１１０２は、処理システム１１０４と、処理システム１１０４に結合されたメモリ１１０６とを含む。処理システム１１０４の例となる実装が本明細書で説明される。いくつかの態様では、図１１の処理システム１１０４とメモリ１１０６とは、図８の処理システム８０４とメモリコンポーネント８０６とに対応し得る。
【０１３５】
[0156]  処理システム１１０４は一般に、メモリ１１０６上に記憶されたそのようなプログラミングの実行を含む処理に関して適合される。例えば、メモリ１１０６は、処理システム１１０４によって実行されると、処理システム１１０４に、本明細書で説明されるオペレーションのうちの１つまたは複数を行わせる命令を記憶し得る。本明細書で使用されるとき、「プログラミング」または「命令」または「コード」という用語は、ソフトウェア、ファームウェア、ミドルウェア、マイクロコード、ハードウェア記述言語、またはそれ以外の用語で呼ばれるかどうかに関わらず、命令のセット、命令、データ、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などに限定されることなく、それらを含むように幅広く解釈されるべきである。
【０１３６】
[0157]  いくつかの実装では、装置１１０２は、装置１１００の少なくとも１つの他のコンポーネント（例えば、装置１１０２の外部にある他のコンポーネント１１０８）と通信する。この目的を達成するために、いくつかの実装では、装置１１０２は、処理システム１１０４と他のコンポーネント１１０８との間の情報（例えば、受信された情報、生成された情報、復号された情報、メッセージなど）を出力および／または取得（例えば、送信および／または受信）するために処理システム１１０４に結合される、少なくとも１つのインターフェース１１１０（例えば、送信受信インターフェース）を含み得る。いくつかの実装では、インターフェース１１１０は、インターフェースバス、バスドライバ、バス受信機、他の適切な回路、またはそれらの組み合わせを含み得る。いくつかの実装では、インターフェース１１１０は、無線周波数（ＲＦ：radio frequency）回路（例えば、ＲＦ送信機および／またはＲＦ受信機）を含み得る。いくつかの実装では、インターフェース１１１０は、装置１１０２を装置１１００の１つまたは複数の他のコンポーネント（図１１に示されていない他のコンポーネント）にインターフェースするように構成され得る。例えば、インターフェース１１１０は、処理システム１１０４を無線周波数（ＲＦ）フロントエンド（例えば、ＲＦ送信機および／またはＲＦ受信機）にインターフェースするように構成され得る。いくつかの実装では、第１のインターフェースおよび第２のインターフェースは、同じインターフェースに対応し得る。例えば、入力／出力インターフェース（例えば、トランシーバまたはバスインターフェース）は、第１のインターフェース（例えば、入力インターフェース）および第２のインターフェース（例えば、出力インターフェース）を含み得る。
【０１３７】
[0158]  装置１１０２は、様々な方法で他の装置と通信し得る。装置１１０２がＲＦトランシーバ（図１１中に図示せず）を含む場合には、装置は、ＲＦシグナリングを介して情報（例えば、フレーム、メッセージ、ビットなど）を送信および受信し得る。いくつかのケースでは、ＲＦシグナリングを介して情報を送信するよりもむしろ、装置１１０２は、ＲＦ送信のための情報を提供する（例えば、出力する、送る、送信するなど）ためのインターフェースを有し得る。例えば、処理システム１１０４は、バスインターフェースを介して、ＲＦ送信のためにＲＦフロントエンドに情報を出力し得る。同様に、ＲＦシグナリングを介して情報を受信よりもむしろ、装置１１０２は、別の装置によって受信された情報を取得するためのインターフェースを有し得る。例えば、処理システム１１０４は、バスインターフェースを介して、ＲＦシグナリングを介して情報を受信したＲＦ受信機から情報を取得（例えば、受信）し得る。
【０１３８】
［例となる処理（Example Processes）］
[0159]  図１２は、本開示のいくつかの態様にしたがった、通信のための処理１２００を図示する。処理１２００は、ＡＰ、ＡＴ、または何らかの他の適切な装置に位置し得る処理システム（例えば、図１１の処理システム１１０４）内で行われ得る。当然ながら、本開示の範囲内の様々な態様では、処理１２００は、本明細書での教示にしたがった、通信に関連するオペレーションをサポートすることが可能な任意の適切な装置で実装され得る。
【０１３９】
[0160]  ブロック１２０２において、装置（例えば、チップ、またはフレームを送信することとなるワイヤレスノード）は、パイロット繰り返しを含むシーケンス（例えば、パイロット繰り返しのシーケンス）を取得する。例えば、チップ（例えば、集積回路）は、メモリデバイス、受信機、または何らかの他のコンポーネントからシーケンス情報を取得し得る。別の例として、受信機は、シーケンス情報を受信し得る。
【０１４０】
[0161]  ブロック１２０４において、装置は、修正されたシーケンスを提供するためにシーケンスを修正する。いくつかの態様では、修正されたシーケンスは、線形性推定（linearity estimation）のために定義された信号を含み得る。いくつかの態様では、修正されたシーケンスは、リーク推定のために定義された信号を含み得る。いくつかの態様では、シーケンスの修正は、ハイパスフィルタをシーケンスのパイロット繰り返しのうちの少なくとも１つに適用することを含み得る。いくつかの態様では、シーケンスの修正は、シーケンスのパイロット繰り返しのうちの少なくとも１つをハイパスフィルタリングすることを含み得る。
【０１４１】
[0162]  いくつかの態様では、シーケンスの修正は、複数の利得をシーケンスに適用すること（例えば、異なる利得をシーケンスの異なる部分に適用すること）を含み得る。いくつかの態様では、複数の利得をシーケンスに適用することは、異なる利得をシーケンスの異なるパイロット繰り返しに適用することを含み得る。いくつかの態様では、複数の利得は、離散振幅値（discrete amplitude value）（例えば、離散振幅値のリスト）によって指定され得る。いくつかの態様では、複数の利得は、少なくとも１つの振幅スロープ（例えば、デュアル振幅スロープ）によって指定され得る。いくつかの態様では、複数の利得は、少なくとも１つの電力スロープ（例えば、デュアル電力スロープ）によって指定され得る。
【０１４２】
[0163]  ブロック１２０６において、装置は、修正されたシーケンスを含むフレームを生成する。いくつかの態様では、フレームの生成は、フレームのショートトレーニングフィールドの少なくとも一部分において、フレームのショートトレーニングフィールドの少なくとも一部分に修正されたシーケンスを含むことを含み得る。いくつかの態様では、フレームは、ＩＥＥＥ ８０２．１１ａｙフレームであり得る。いくつかの態様では、ショートトレーニングフィールドは、拡張型指向性マルチギガビットショートトレーニングフィールド（ＥＤＭＧ−ＳＴＦ）であり得る。いくつかの態様では、ショートトレーニングフィールドの少なくとも一部分は、拡張型指向性マルチギガビットショートトレーニングフィールドの始めの部分（first portion）（例えば、始端（the beginning））であり得る。いくつかの態様では、シーケンスは、拡張型指向性マルチギガビットショートトレーニングフィールドのためのパイロット繰り返しの最初の部分（first part）であり得る。
【０１４３】
[0164]  ブロック１２０８において、装置は、ブロック１２０４において生成されたフレームを出力する。例えば、チップは、（例えば、送信機によって）送信のためにフレームを出力し得る。別の例では、ワイヤレスノードは、フレームを送信し得る。
【０１４４】
[0165]  任意のブロック１２１０において、装置は、シーケンスの修正のインジケーションを生成し得る。いくつかの態様では、インジケーションは、シーケンスのパイロット繰り返しのうちの少なくとも１つに適用された少なくとも１つの利得を示し得る。いくつかの態様では、インジケーションは、シーケンスに適用される（例えば、シーケンスの異なるパイロットに適用される）複数の利得を示し得る。いくつかの態様では、インジケーションは、シーケンスに適用された少なくとも１つのハイパスフィルタ特性（high pass filter characteristic）を示し得る。いくつかの態様では、インジケーションは、シーケンスの修正のためのサポートを示し得る。いくつかの態様では、インジケーションは、修正されたシーケンスの長さを示し得る。いくつかの態様では、インジケーションは、修正されたシーケンスの少なくとも１つの信号タイプ（signal type）を示す。いくつかの態様では、少なくとも１つの信号タイプは、利得推定信号（gain estimation signal）、線形性推定信号（linearity estimation signal）、直流リーク推定信号（direct current leakage estimation signal）、局部発振器リーク推定信号（local oscillator leakage estimation signal）、またはそれらの任意の組み合わせを含み得る。いくつかの態様では、フレームの生成は、フレームの拡張型指向性マルチギガビット（ＥＤＭＧ：extended directional multi-gigabit）ヘッダＡにおける、またはフレームのレガシ指向性マルチギガビット（ＤＭＧ：directional multi-gigabit）におけるインジケーションを含むことを含み得る。シーケンスの修正がシーケンスのパイロット繰り返しのうちの少なくとも１つをハイパスフィルタリングすることを含むケースでは、インジケーションの生成は、ハイパスフィルタリングのインジケーションを生成することを含み得る。ここで、インジケーションは、ハイパスフィルタリングのためのサポートを示し得る。
【０１４５】
[0166]  任意のブロック１２１２において、装置は、ブロック１２０８において生成されたインジケーションを出力し得る。例えば、チップは、（例えば、送信機によって）送信のためにインジケーションを出力し得る。別の例では、ワイヤレスノードは、インジケーションを送信し得る。
【０１４６】
[0167]  図１３は、本開示のいくつかの態様にしたがった、通信のための処理１３００を図示する。処理１３００の１つまたは複数の態様は、図１２の処理１２００と連携して（例えば、それに加えてまたはその一部として）、使用され得る。処理１３００は、ＡＰ、ＡＴ、または何らかの他の適切な装置に位置し得る処理システム（例えば、図１１の処理システム１１０４）内で行われ得る。当然ながら、本開示の範囲内の様々な態様では、処理１３００は、本明細書での教示にしたがった、通信に関連するオペレーションをサポートすることが可能な任意の適切な装置で実装され得る。
【０１４７】
[0168]  ブロック１３０２において、装置（例えば、チップ、またはフレームを送信することとなるワイヤレスノード）は、パイロット繰り返しを含むシーケンスを取得する。例えば、チップ（例えば、集積回路）は、メモリデバイス、受信機、または何らかの他のコンポーネントからシーケンス情報を取得し得る。別の例として、受信機は、シーケンス情報を受信し得る。いくつかの態様では、ブロック１３０２のオペレーションは、図１２のブロック１２０２のオペレーションに対応し得る。
【０１４８】
[0169]  ブロック１３０４において、装置は、修正されたシーケンスを提供するためにシーケンスの少なくとも１つのパイロット繰り返しをハイパスフィルタリングする。
【０１４９】
[0170]  ブロック１３０６において、装置は、修正されたシーケンスを含むフィールドを有するフレームを生成する。いくつかの態様では、フィールドは、ショートトレーニングフィールドを含み得る。
【０１５０】
[0171]  ブロック１３０８において、装置は、ブロック１３０４において生成されたフレームを出力する。例えば、チップは、（例えば、送信機によって）送信のためにフレームを出力し得る。別の例では、ワイヤレスノードは、フレームを送信し得る。
【０１５１】
[0172]  任意のブロック１３１０において、装置は、シーケンスの少なくとも１つのパイロット繰り返しのハイパスフィルタのインジケーションを生成し得る。いくつかの態様では、インジケーションは、ハイパスフィルタリングの少なくとも１つのハイパスフィルタ特性を示し得る。いくつかの態様では、インジケーションは、シーケンスの少なくとも１つのパイロット繰り返しのハイパスフィルタリングのためのサポートを示し得る。いくつかの態様では、インジケーションは、修正されたシーケンスの長さを示し得る。いくつかの態様では、フレームの生成は、フレームの拡張型指向性マルチギガビット（ＥＤＭＧ）ヘッダＡにおける、またはフレームのレガシ指向性マルチギガビット（ＤＭＧ）におけるインジケーションを含むことを含み得る。
【０１５２】
[0173]  任意のブロック１３１２において、装置は、ブロック１３０８において生成されたインジケーションを出力し得る。例えば、チップは、（例えば、送信機によって）送信のためにインジケーションを出力し得る。別の例では、ワイヤレスノードは、インジケーションを送信し得る。
【０１５３】
[0174]  図１４は、本開示のいくつかの態様にしたがった、通信のための処理１４００を図示する。処理１４００は、ＡＰ、ＡＴ、または何らかの他の適切な装置に位置し得る処理システム（例えば、図１１の処理システム１１０４）内で行われ得る。当然ながら、開示の範囲内の様々な態様では、処理１４００は、本明細書での教示にしたがった、通信に関連するオペレーションをサポートすることが可能な任意の適切な装置で実装され得る。
【０１５４】
[0175]  ブロック１４０２において、装置（例えば、チップ、または現在受信しているワイヤレスノード）は、（例えば、ショートトレーニングフィールドを含む）フレームを取得する。例えば、チップ（例えば、集積回路）は、（例えば、受信機によって受信された）受信フレームを取得し得る。別の例では、受信機は、フレームを受信し得る。
【０１５５】
[0176]  いくつかの態様では、フレームは、パイロット繰り返しを含むシーケンスを含み得る。例えば、フレームは、ショートトレーニングフィールドを含み得、ショートトレーニングフィールドの少なくとも一部分は、シーケンスを含み得る。
【０１５６】
[0177]  いくつかの態様では、フレームは、ＩＥＥＥ ８０２．１１ａｙフレームであり得る。いくつかの態様では、ショートトレーニングフィールドは、拡張型指向性マルチギガビットショートトレーニングフィールド（ＥＤＭＧ−ＳＴＦ）であり得る。いくつかの態様では、ショートトレーニングフィールドの少なくとも一部分は、拡張型指向性マルチギガビットショートトレーニングフィールドの始めの部分（例えば、始端）であり得る。いくつかの態様では、シーケンスは、拡張型指向性マルチギガビットショートトレーニングフィールドのためのパイロット繰り返しの最初の部分であり得る。
【０１５７】
[0178]  ブロック１４０４において、装置は、少なくとも１つの通信パラメータを決定するためにシーケンスを処理する。いくつかの態様では、フレームはヘッダを含み得、それによりヘッダは、フレームの処理と並行して処理される。例えば、装置は、（例えば、ヘッダに含まれる）パイロット繰り返しの修正に基づいて伝達関数を推定し、通信パラメータに基づいて（例えば、推定された伝達関数に基づいて）フレーム（例えば、データ）の残りの部分を受信機が処理し得るように、推定された伝達関数に基づいて通信パラメータを生成し得る。
【０１５８】
[0179]  いくつかの態様では、少なくとも１つの通信パラメータは、利得、線形性、直流（ＤＣ）リーク、局部発振器（ＬＯ）リーク、位相ノイズ、ノイズ、干渉、またはそれらの任意の組み合わせを含み得る。例えば、シーケンスを処理することによって、装置は、送信機によってシーケンスに適用された少なくとも１つの利得、送信機の線形性（例えば、電力増幅器および／または低ノイズ増幅器の線形性）、送信機のＤＣリーク、送信機のＬＯリーク、送信機の位相のノイズ、送信された信号に付与されたノイズ／干渉、またはそれらの任意の組み合わせ、を決定し得る。
【０１５９】
[0180]  いくつかの態様では、少なくとも１つの通信パラメータは、シーケンスに適用された複数の利得を含み得る。いくつかの態様では、シーケンスに適用される複数の利得は、シーケンスの異なるパイロット繰り返しに適用される異なる利得を含み得る。いくつかの態様では、複数の利得は、離散振幅値（例えば、離散振幅値のリスト）によって指定され得る。いくつかの態様では、複数の利得は、少なくとも１つの振幅スロープ（例えば、デュアル振幅スロープ）によって指定され得る。いくつかの態様では、複数の利得は、少なくとも１つの電力スロープ（例えば、デュアル電力スロープ）によって指定され得る。
【０１６０】
[0181]  いくつかの態様では、少なくとも１つの通信パラメータの決定は、フレームの送信に関連付けられたリークを決定することを含み得る。リークは、直流リーク、局部発振器リーク、またはそれらの任意の組み合わせを含み得る。
【０１６１】
[0182]  いくつかの態様では、少なくとも１つの通信パラメータの決定は、フレームの送信に関連付けられた位相ノイズを決定することを含み得る。このケースでは、処理１４００は、位相ノイズの決定のためにシーケンスが使用されることができるとのインジケーションを取得することと、インジケーションに基づいてシーケンスを処理することと、を含み得る。加えて、インジケーションは、位相ノイズの決定のために使用されるべきシーケンスのシンボルの量（a quantity of symbols）を示し得る。
【０１６２】
[0183]  いくつかの態様では、少なくとも１つの通信パラメータの決定は、フレームの送信に関連付けられたノイズまたは干渉を決定することを含み得る。このケースでは、処理１４００は、ノイズまたは干渉の決定のためにシーケンスが使用されることができるとのインジケーションを取得することと、インジケーションに基づいてシーケンスを処理することと、を含み得る。加えて、インジケーションは、ノイズまたは干渉の決定のために使用されるべきシーケンスのシンボルの量を示し得る。
【０１６３】
[0184]  ブロック１４０６において、装置は、オペレーション（例えば、受信オペレーション）を制御するための信号を生成する。いくつかの態様では、信号の生成は、少なくとも１つの通信パラメータに基づき得る。例えば、装置は、少なくとも１つの通信パラメータに基づいて制御信号を生成し得、ここにおいて、制御信号は、受信機のオペレーションを制御するためのものである。いくつかの態様では、オペレーション（例えば、受信機のオペレーション）は、チャネル推定（channel estimation）、等化（equalization）、デシメーション（decimation）、周波数相関（frequency correlation）、圧縮（compression）、位相ロックループ追跡（phase lock loop tracking）、ダイナミックレンジのバックオフ（backoff of dynamic range）、またはそれらの任意の組み合わせを含み得る。例えば、信号の生成は、チャネル推定制御信号、等化制御信号、デシメーション制御信号、周波数相関制御信号、圧縮制御信号、位相ロックループ追跡制御信号、ダイナミックレンジバックオフ制御信号、またはそれらの任意の組み合わせを生成することを含み得る。
【０１６４】
[0185]  ブロック１４０８において、装置は、信号を出力する。例えば、チップは、別のコンポーネント（例えば、受信機）に信号を送り得る。別の例では、チップは、（例えば、送信機によって）送信のための信号を出力し得る。さらに別の例では、ワイヤレスノードは、信号を送信し得る。いくつかの実装では、装置のインターフェースは、信号を受信機に提供し得る。
【０１６５】
[0186]  任意のブロック１４１０において、装置は、シーケンスの修正のインジケーション（例えば、シーケンスがどのように生成されたかのインジケーション）を取得し得る。いくつかの態様では、インジケーションは、シーケンスのパイロット繰り返しのうちの少なくとも１つに適用された少なくとも１つの利得を示し得る。いくつかの態様では、インジケーションは、シーケンスに適用された（例えば、シーケンスの異なるパイロット繰り返しに適用された）複数の利得を示し得る。いくつかの態様では、インジケーションは、シーケンスに適用された少なくとも１つのハイパスフィルタ特性を示し得る。いくつかの態様では、インジケーションは、シーケンスの修正のためのサポートを示し得る。いくつかの態様では、インジケーションは、シーケンス（例えば、修正されたシーケンス）の長さを示し得る。いくつかの態様では、インジケーションは、シーケンス（例えば、修正されたシーケンス）の少なくとも１つの信号タイプを示し得る。いくつかの態様では、少なくとも１つの信号タイプは、利得推定信号、線形性推定信号、直流リーク推定信号、局部発振器リーク推定信号、またはそれらの任意の組み合わせを含み得る。いくつかの態様では、インジケーションは、フレームの拡張型指向性マルチギガビット（ＥＤＭＧ）ヘッダＡに、またはフレームのレガシ指向性マルチギガビット（ＤＭＧ）に含まれ得る。
【０１６６】
[0187]  任意のブロック１４１２において、装置は、インジケーションに基づいてシーケンスを処理し得る。例えば、装置は、インジケーションの値または複数の値に依存して、利得、線形性、ＤＣリーク、またはＬＯリークのうちの１つまたは複数を推定し得る。
【０１６７】
[0188]  図１５は、本開示のいくつかの態様にしたがった、通信のための処理１５００を図示する。処理１５００の１つまたは複数の態様は、図１４の処理１４００と連携して（例えば、それに加えてまたはその一部として）、使用され得る。処理１５００は、ＡＰ、ＡＴ、または何らかの他の適切な装置に位置し得る処理システム（例えば、図１１の処理システム１１０４）内で行われ得る。当然ながら、本開示の範囲内の様々な態様では、処理１５００は、本明細書での教示にしたがった、通信に関連するオペレーションをサポートすることが可能な任意の適切な装置で実装され得る。
【０１６８】
[0189]  ブロック１５０２において、装置（例えば、チップ、または現在受信しているワイヤレスノード）は、フレームを取得する。例えば、チップ（例えば、集積回路）は、（例えば、受信機によって受信された）受信フレームを取得し得る。別の例では、受信機は、フレームを受信し得る。いくつかの態様では、ブロック１５０２のオペレーションは、図１４のブロック１４０２のオペレーションに対応し得る。
【０１６９】
[0190]  いくつかの態様では、フレームは、パイロット繰り返しを含むシーケンスを含み得る。いくつかの態様では、フレームは、シーケンスを含むショートトレーニングフィールドを含み得る。
【０１７０】
[0191]  ブロック１５０４において、装置は、フレームの送信に関連付けられたリーク（例えば、ＤＣリークおよび／またはＬＯリーク）を決定するためのシーケンスを処理する。いくつかの態様では、フレームはヘッダを含み得、それによりヘッダは、フレームの処理と並行して処理される。いくつかの態様では、リークは、直流リーク、局部発振器リーク、またはそれらの任意の組み合わせを含み得る。
【０１７１】
[0192]  ブロック１５０６において、装置は、リークに基づいてオペレーション（例えば、受信オペレーション）を制御するための信号を生成する。例えば、装置は、リークに基づいて制御信号を生成し得、ここにおいて、制御信号は、受信機のオペレーションを制御するためのものである。
【０１７２】
[0193]  ブロック１５０８において、装置は、信号を出力する。例えば、チップは、別のコンポーネント（例えば、受信機）に信号を送り得る。別の例では、チップは、（例えば、送信機によって）送信のための信号を出力し得る。さらに別の例では、ワイヤレスノードは、信号を送信し得る。いくつかの実装では、装置のインターフェースは、信号を受信機に提供し得る。
【０１７３】
[0194]  任意のブロック１５１０において、装置は、シーケンスの修正のインジケーションを取得し得る。いくつかの態様では、インジケーションは、シーケンスに適用された少なくとも１つのハイパスフィルタ特性を示し得る。いくつかの態様では、インジケーションは、シーケンスの修正のためのサポートを示し得る。いくつかの態様では、インジケーションは、修正されたシーケンスの長さを示し得る。いくつかの態様では、インジケーションは、フレームの拡張型指向性マルチギガビット（ＥＤＭＧ）ヘッダＡに、またはフレームのレガシ指向性マルチギガビット（ＤＭＧ）に含まれ得る。
【０１７４】
[0195]  任意のブロック１５１２において、装置は、インジケーションに基づいてシーケンスを処理し得る。いくつかの態様では、ブロック１５１２の動作は、図１４のブロック１４１２のオペレーションに対応し得る。
【０１７５】
[0196]  図１６は、本開示のいくつかの態様にしたがった、通信のための処理１６００を図示する。処理１６００の１つまたは複数の態様は、図１４の処理１４００と連携して（例えば、それに加えてまたはその一部として）、使用され得る。処理１６００は、ＡＰ、ＡＴ、または何らかの他の適切な装置に位置し得る処理システム（例えば、図１１の処理システム１１０４）内で行われ得る。当然ながら、本開示の範囲内の様々な態様では、処理１６００は、本明細書での教示にしたがった、通信に関連するオペレーションをサポートすることが可能な任意の適切な装置で実装され得る。
【０１７６】
[0197]  ブロック１６０２において、装置（例えば、チップ、または現在受信しているワイヤレスノード）は、フレームを取得する。例えば、チップ（例えば、集積回路）は、（例えば、受信機によって受信された）受信フレームを取得し得る。別の例では、受信機は、フレームを受信し得る。いくつかの態様では、ブロック１６０２のオペレーションは、図１４のブロック１４０２のオペレーションに対応し得る。
【０１７７】
[0198]  いくつかの態様では、フレームは、パイロット繰り返しを含むシーケンスを含み得る。いくつかの態様では、フレームは、シーケンスを含むショートトレーニングフィールドを含み得る。
【０１７８】
[0199]  ブロック１６０４において、装置は、フレームの送信に関連付けられた位相ノイズを決定するためのシーケンスを処理する。いくつかの態様では、フレームはヘッダを含み得、それによりヘッダは、フレームの処理と並行して処理される。
【０１７９】
[0200]  ブロック１６０６において、装置は、位相ノイズに基づいてオペレーション（例えば、受信オペレーション）を制御するための信号を生成する。例えば、装置は、位相ノイズに基づいて制御信号を生成し得、ここにおいて、制御信号は、受信機のオペレーションを制御するためのものである。
【０１８０】
[0201]  ブロック１６０８において、装置は、信号を出力する。例えば、チップは、別のコンポーネント（例えば、受信機）に信号を送り得る。別の例では、チップは、（例えば、送信機によって）送信のための信号を出力し得る。さらに別の例では、ワイヤレスノードは、信号を送信し得る。いくつかの実装では、装置のインターフェースは、信号を受信機に提供し得る。
【０１８１】
[0202]  任意のブロック１６１０において、装置は、位相ノイズの決定のためにシーケンスが使用されることができるとのインジケーションを取得し得る。いくつかの態様では、インジケーションは、位相ノイズの決定のために使用されるべきシーケンスのシンボルの量を示し得る。いくつかの態様では、インジケーションは、フレームの拡張型指向性マルチギガビット（ＥＤＭＧ）ヘッダＡに、またはフレームのレガシ指向性マルチギガビット（ＤＭＧ）に含まれ得る。
【０１８２】
[0203]  任意のブロック１６１２において、装置は、インジケーションに基づいてシーケンスを処理し得る。いくつかの態様では、ブロック１６１２のオペレーションは、図１４のブロック１４１２のオペレーションに対応し得る。
【０１８３】
[0204]  図１７は、本開示のいくつかの態様にしたがった、通信のための処理１７００を図示する。処理１７００の１つまたは複数の態様は、図１４の処理１４００と連携して（例えば、それに加えてまたはその一部として）、使用され得る。処理１７００は、ＡＰ、ＡＴ、または何らかの他の適切な装置に位置し得る処理システム（例えば、図１１の処理システム１１０４）内で行われ得る。当然ながら、本開示の範囲内の様々な態様では、処理１７００は、本明細書での教示にしたがった、通信に関連するオペレーションをサポートすることが可能な任意の適切な装置で実装され得る。
【０１８４】
[0205]  ブロック１７０２において、装置（例えば、チップ、または現在受信しているワイヤレスノード）は、フレームを取得する。例えば、チップ（例えば、集積回路）は、（例えば、受信機によって受信された）受信フレームを取得し得る。別の例では、受信機は、フレームを受信し得る。いくつかの態様では、ブロック１７０２のオペレーションは、図１４のブロック１４０２のオペレーションに対応し得る。
【０１８５】
[0206]  いくつかの態様では、フレームは、パイロット繰り返しを含むシーケンスを含み得る。いくつかの態様では、フレームは、シーケンスを含むショートトレーニングフィールドを含み得る。
【０１８６】
[0207]  ブロック１７０４において、装置は、フレームの送信に関連付けられたノイズまたは干渉を決定するために前記シーケンスを処理する。いくつかの態様では、フレームはヘッダを含み得、それによりヘッダは、フレームの処理と並行して処理される。
【０１８７】
[0208]  ブロック１７０６において、装置は、ノイズまたは干渉に基づいてオペレーション（例えば、受信オペレーション）を制御するための信号を生成する。例えば、装置は、ノイズまたは干渉に基づいて制御信号を生成し得、ここにおいて、制御信号は、受信機のオペレーションを制御するためのものである。
【０１８８】
[0209]  ブロック１７０８において、装置は、信号を出力する。例えば、チップは、別のコンポーネント（例えば、受信機）に信号を送り得る。別の例では、チップは、（例えば、送信機によって）送信のための信号を出力し得る。さらに別の例では、ワイヤレスノードは、信号を送信し得る。いくつかの実装では、装置のインターフェースは、信号を受信機に提供し得る。
【０１８９】
[0210]  任意のブロック１７１０において、装置は、ノイズまたは干渉の決定のためにシーケンスが使用されることができるとのインジケーションを取得し得る。いくつかの態様では、インジケーションは、ノイズまたは干渉の決定のために使用されるべきシーケンスのシンボルの量を示し得る。いくつかの態様では、インジケーションは、フレームの拡張型指向性マルチギガビット（ＥＤＭＧ）ヘッダＡに、またはフレームのレガシ指向性マルチギガビット（ＤＭＧ：directional multi-gigabit）ヘッダに含まれ得る。
【０１９０】
[0211]  任意のブロック１７１２において、装置は、インジケーションに基づいてシーケンスを処理し得る。いくつかの態様では、ブロック１７１２のオペレーションは、図１４のブロック１４１２のオペレーションに対応し得る。
【０１９１】
[0212]  いくつかの態様では、装置は、上述されたオペレーションの任意の組み合わせを行い得る。
【０１９２】
［例となる装置（Example Apparatuses）］
[0213]  本明細書で説明されるコンポーネントは、様々な方法で実装され得る。図１８および図１９を参照すると、装置１８００および１９００は、例えば、１つまたは複数の集積回路（例えば、ＡＳＩＣ）で、または本明細書に教示されるような何らかの他の方法で実装される機能を表す、一連の相互関係を有する機能ブロックとして表されている。本明細書で論じられるとき、集積回路は、プロセッサ、ソフトウェア、他のコンポーネント、またはそれらの何らかの組合せを含み得る。
【０１９３】
[0214]  装置１８００は、様々な図面に関して本明細書で説明される機能のうちの１つまたは複数を行い得る１つまたは複数のコンポーネント（モジュール）を含む。例えば、修正するための手段などの、シーケンスを修正するための回路１８０２（例えば、ＡＳＩＣまたは処理システム）は、例えば、本明細書で論じられるような処理システムに対応し得る。例えば、フレームを生成するための手段などの、フレームを生成するための回路１８０４（例えば、ＡＳＩＣまたは処理システム）は、例えば、本明細書で論じられるような処理システムに対応し得る。例えば、出力するための手段などの、出力するための回路１８０６（例えば、ＡＳＩＣまたは処理システム）は、例えば、インターフェース（例えば、バスインターフェース、送信／受信インターフェース、または何らかの他のタイプの信号インターフェース）、通信デバイス、トランシーバ、送信機、処理システム、または本明細書で論じられるような何らかの他の同様のコンポーネントに対応し得る。例えば、取得するための手段などの、取得するための回路１８０８（例えば、ＡＳＩＣまたは処理システム）は、例えば、インターフェース（例えば、バスインターフェース、送信／受信インターフェース、または何らかの他のタイプの信号インターフェース）、通信デバイス、トランシーバ、受信機、処理システム、または本明細書で論じられるような何らかの他の同様のコンポーネントに対応し得る。例えば、インジケーションを生成するための手段などの、インジケーションを生成するための回路１８１０（例えば、ＡＳＩＣまたは処理システム）は、例えば、本明細書で論じられるような処理システムに対応し得る。図１８のモジュールのうちの２つ以上が、シグナリングバス１８１２を介して互いとまたは何らかの他のコンポーネントと通信し得る。様々な実装では、図８の処理システム８０４および／または図１１の処理システム１１０４は、シーケンスを修正するための回路１８０２、フレームを生成するための回路１８０４、出力するための回路１８０６、取得するための回路１８０８、またはインジケーションを生成するための回路１８１０のうちの１つまたは複数を含み得る。
【０１９４】
[0215]  装置１９００は、様々な図面に関して本明細書で説明される機能のうちの１つまたは複数を行い得る１つまたは複数のコンポーネント（モジュール）を含む。例えば、ハイパスフィルタリングのための手段などの、ハイパスフィルタリングのための回路１９０２（例えば、ＡＳＩＣまたは処理システム）は、例えば、本明細書で論じられるような処理システムに対応し得る。例えば、フレームを生成するための手段などの、フレームを生成するための回路１９０４（例えば、ＡＳＩＣまたは処理システム）は、本明細書で論じられるような処理システムに対応し得る。例えば、出力するための手段などの、出力するための回路１９０６（例えば、ＡＳＩＣまたは処理システム）は、例えば、インターフェース（例えば、バスインターフェース、送信／受信インターフェース、または何らかの他のタイプの信号インターフェース）、通信デバイス、トランシーバ、送信機、処理システム、または本明細書で論じられるような何らかの他の同様のコンポーネントに対応し得る。例えば、取得するための手段などの、取得するための回路１９０８（例えば、ＡＳＩＣまたは処理システム）は、例えば、インターフェース（例えば、バスインターフェース、送信／受信インターフェース、または何らかの他のタイプの信号インターフェース）、通信デバイス、トランシーバ、受信機、処理システム、または本明細書で論じられるような何らかの他の同様のコンポーネントに対応し得る。例えば、インジケーションを生成するための手段などの、インジケーションを生成するための回路１９１０（例えば、ＡＳＩＣまたは処理システム）は、例えば、本明細書で論じられるような処理システムに対応し得る。図１９のモジュールのうちの２つ以上が、シグナリングバス１９１２を介して互いとまたは何らかの他のコンポーネントと通信し得る。様々な実装では、図８の処理システム８０４および／または図１１の処理システム１１０４は、ハイパスフィルタリングのための回路１９０２、フレームを生成するための回路１９０４、出力するための回路１９０６、取得するための回路１９０８、またはインジケーションを生成するための回路１９１０のうちの少なくとも１つを含み得る。
【０１９５】
[0216]  装置２０００は、様々な図面に関して本明細書で説明される機能のうちの１つまたは複数を行い得る１つまたは複数のコンポーネント（モジュール）を含む。例えば、取得するための手段などの、取得するための回路２００２（例えば、ＡＳＩＣまたは処理システム）は、例えば、インターフェース（例えば、バスインターフェース、送信／受信インターフェース、または何らかの他のタイプの信号インターフェース）、通信デバイス、トランシーバ、受信機、処理システム、または本明細書で論じられるような何らかの他の同様のコンポーネントに対応し得る。例えば、処理するための手段などの、処理するための回路２００４（例えば、ＡＳＩＣまたは処理システム）は、例えば、本明細書で論じられるような処理システムに対応し得る。例えば、生成するための手段などの、生成するための回路２００６（例えば、ＡＳＩＣまたは処理システム）は、例えば、本明細書で論じられるような処理システムに対応し得る。例えば、出力するための手段などの、出力するための回路２００８（例えば、ＡＳＩＣまたは処理システム）は、例えば、インターフェース（例えば、バスインターフェース、送信／受信インターフェース、または何らかの他のタイプの信号インターフェース）、通信デバイス、トランシーバ、送信機、処理システム、または本明細書で論じられるような何らかの他の同様のコンポーネントに対応し得る。図２０のモジュールのうちの２つ以上が、シグナリングバス２０１０を介して互いとまたは何らかの他のコンポーネントと通信し得る。様々な実装では、図８の処理システム８０４および／または図１１の処理システム１１０４は、取得するための回路２００２、処理するための回路２００４、生成するための回路２００６、または出力するための回路２００８のうちの１つまたは複数を含み得る。
【０１９６】
[0217]  上述されたように、いくつかの態様では、これらのモジュールは、適切なプロセッサコンポーネントを介して実装され得る。これらのプロセッサコンポーネントは、いくつかの態様では、少なくとも部分的に、本明細書に教示されるような構造を使用して実装され得る。いくつかの態様では、プロセッサは、これらのモジュールのうちの１つまたは複数の機能の一部分または全てを実装するように構成され得る。よって、異なるモジュールの機能は、例えば、集積回路の異なるサブセットとして、ソフトウェアモジュールのセットの異なるサブセットとして、またはそれらの組み合わせとして実装され得る。また、（例えば、集積回路のおよび／またはソフトウェアモジュールのセットの）所与のサブセットが、１より多いモジュールについての機能の少なくとも一部分を提供し得ることが認識されるべきである。いくつかの態様では、図１８、図１９、図２０、またはその他の場所において破線のボックスで表される１つまたは複数のいずれのコンポーネントも、任意のものであり得る。
【０１９７】
[0218]  上述されるように、装置１８００、１９００、および２０００は、いくつかの実装では、１つまたは複数の集積回路として実装され得る。例えば、いくつかの態様では、単一の集積回路は、例示されたコンポーネントのうちの１つまたは複数の機能を実装するが、他の態様では、１つよりも多くの集積回路は、例示されたコンポーネントのうちの１つまたは複数の機能を実装する。１つの具体例として、装置１８００は、単一デバイスとして（例えば、ＡＳＩＣの異なるセクションとして実装された、シーケンスを修正するための回路１８０２、フレームを生成するための回路１８０４、出力するための回路１８０６、取得するための回路１８０８、またはインジケーションを生成するための回路１８１０を用いて）実装され得る。別の具体例として、装置１８００は、いくつかのデバイスとして（例えば、１つのＡＳＩＣとして実装される、シーケンスを修正するための回路１８０２、フレームを生成するための回路１８０４およびインジケーションを生成するための回路１８１０、並びに、ＡＳＩＣの異なるセクションとして実装される、出力するための回路１８０６および取得するための回路１８０８を用いて）実装され得る。
【０１９８】
[0219]  加えて、図１８、図１９、および図２０によって表されているコンポーネントおよび機能、ならびに本明細書で説明される他のコンポーネントおよび機能は、任意の適切な手段を使用して実装され得る。そのような手段は、少なくとも部分的に、本明細書に教示されるような対応する構造を使用して実装される。例えば、図１８、図１９、および図２０の「〜するためのＡＳＩＣ」というコンポーネントと併せて上述されたコンポーネントもまた、同様に指定された「〜のための手段」という機能に対応し得る。よって、いくつかの実装では、そのような手段のうちの１つまたは複数は、本明細書に教示されるようなプロセッサコンポーネント、集積回路、または他の適切な構造のうちの１つまたは複数を使用して実装される。いくつかの例が以下に続く。取得するための手段（例えば、シーケンス、インジケーション、または他の情報）は、（例えば、メモリデバイス、受信機、何らかの他のコンポーネント、または何らかの他の装置から）情報を取得することと、必要な場合にその情報を処理することと、情報を適切な宛先（例えば、メモリデバイス、または何らか他のコンポーネント）に出力することと、本明細書で説明されるような他の関連したオペレーションを行うことと、をどこで行うかを決定し得る。修正するための手段は、修正が（例えば、メモリデバイスまたは何らか他のコンポーネントからの）基づくべき情報（例えば、シーケンス修正パラメータ）を捕捉し、情報に基づいて修正を行い（例えば、利得またはフィルタリングをシーケンスに適用し）、修正の結果を（例えば、メモリデバイス、送信機、または何らかの他のコンポーネントに）出力し、本明細書で説明されるような他の関連したオペレーションを行い得る。ハイパスフィルタリングするための手段は、ハイパスフィルタリングが（例えば、メモリデバイスまたは何らか他のコンポーネントからの）基づくべき情報（例えば、フィルタ特性パラメータ）を捕捉し、情報に基づいてハイパスフィルタリングを行い（例えば、フィルタリングをシーケンスに適用し）、ハイパスフィルタリングの結果を（例えば、メモリデバイス、送信機、または何らかの他のコンポーネントに）出力し、本明細書で説明されるような他の関連したオペレーションを行い得る。生成するための手段は、生成が（例えば、メモリデバイスまたは何らか他のコンポーネントからの）基づくべき制御情報を捕捉し、制御情報に基づいて所望の情報（例えば、フレームまたはインジケーション）を生成し（例えば、生成するためのフレームまたはインジケーションのタイプを決定する）、生成された結果を（例えば、メモリデバイス、トランシーバ、または何らかの他のコンポーネントに）出力し、本明細書で説明されるような他の関連したオペレーションを行い得る。出力するための手段（例えば、信号または他の情報）は、（例えば、メモリデバイスまたは何らか他のコンポーネントからの）出力されるべき情報を取得し、必要な場合にはその情報をフォーマット化し、情報を適切な宛先（例えば、メモリデバイス、送信機、または何らかの他のコンポーネント）に送り、本明細書で説明されるような他の関連したオペレーションを行い得る。
【０１９９】
[0220]  本明細書で説明される方法の様々なオペレーションは、対応する機能を行うことが可能な任意の適切な手段によって行われ得る。手段は、回路、特定用途向け集積回路（ＡＳＩＣ）、またはプロセッサを含むがそれらに限定されない、様々なハードウェアおよび／またはソフトウェアコンポーネントおよび／またはモジュールを含み得る。一般に、図に示す動作がある場合、それらの動作は、同様の機能および／または番号を有する対応するカウンターパートのミーンズプラスファンクションコンポーネントを有し得る。例えば、図１２に図示されている処理１２００のブロックは、少なくともいくつかの態様では、図１８に図示されている装置１８００の対応するブロックに対応し得る。別の例では、図１３に図示されている処理１３００のブロックは、少なくともいくつかの態様では、図１９に図示されている装置１９００の対応するブロックに対応し得る。さらに別の例として、図１４、図１５、図１６、または図１７に図示されている処理１４００、１５００、１６００、または１７００のブロックは、少なくともいくつかの態様では、図２０に図示されている装置２０００の対応するブロックに対応し得る。
【０２００】
［例となるプログラミング（Example Programming）］
[0221]  図２１、２２、および２３を参照すると、メモリ、メモリ２１００、メモリ２２００、またはメモリ２３００（例えば、記憶媒体、メモリデバイスなど）によって記憶されたプログラミングは、処理システム（例えば、図１１の処理システム１１０４）によって実行されると、処理システムに、本明細書で説明される様々な機能および／またはオペレーションのうちの１つまたは複数を行わせる。例えば、プログラミングは、処理システム１１０４によって実行されると、処理システム１１０４に、様々な実装において図１〜図６および図１２〜図１７に関して本明細書で説明される様々な機能、ステップ、および／または処理を行わせ得る。
【０２０１】
[0222]  図２１に示されているように、メモリ２１００は、シーケンスを修正するためのコード２１０２、フレームを生成するためのコード２１０４、出力するためのコード２１０６、取得するためのコード２１０８、またはインジケーションを生成するためのコード２１１０のうちの１つまたは複数を含み得る。いくつかの態様では、シーケンスを修正するためのコード２１０２、フレームを生成するためのコード２１０４、出力するためのコード２１０６、取得するためのコード２１０８、またはインジケーションを生成するためのコード２１１０のうちの１つまたは複数は、シーケンスを修正するための回路１８０２、フレームを生成するための回路１８０４、出力するための回路１８０６、取得するための回路１８０８、またはインジケーションを生成するための回路１８１０に関して本明細書で説明される機能を提供するために実行され得るか、またはそうでなければ使用され得る。いくつかの態様では、メモリ２１００は、図１１のメモリ１１０６に対応し得る。
【０２０２】
[0223]  図２２に示されているように、メモリ２２００は、ハイパスフィルタリングするためのコード２２０２、フレームを生成するためのコード２２０４、出力するためのコード２２０６、取得するためのコード２２０８、またはインジケーションを生成するためのコード２２１０のうちの１つまたは複数を含み得る。いくつかの態様では、ハイパスフィルタリングするためのコード２２０２、フレームを生成するためのコード２２０４、出力するためのコード２２０６、取得するためのコード２２０８、またはインジケーションを生成するためのコード２２２０のうちの１つまたは複数は、ハイパスフィルタリングのための回路１９０２、フレームを生成するための回路１９０４、出力するための回路１９０６、取得するための回路１９０８、またはインジケーションを生成するための回路１９１０に関して本明細書で説明される機能を提供するために実行され得るか、またはそうでなければ使用され得る。いくつかの態様では、メモリ２２００は、図１１のメモリ１１０６に対応し得る。
【０２０３】
[0224]  図２３に示されているように、メモリ２３００は、取得するためのコード２３０２、処理するためのコード２３０４、生成するためのコード２３０６、または出力するためのコード２３０８のうちの１つまたは複数を含み得る。いくつかの態様では、取得するためのコード２３０２、処理するためのコード２３０４、制御信号を生成するためのコード２３０６、または出力するためのコード２３０８は、取得するための回路２００２、処理するための回路２００４、生成するための回路２００６、または出力するための回路２００８に関して本明細書で説明される機能を提供するために実行されるか、またはそうでなければ使用され得る。いくつかの態様では、メモリ２３００は、図１１のメモリ１１０６に対応し得る。
【０２０４】
[さらなる態様（Additional Aspects）］
[0225]  本明細書に記載される例は、本開示の特定の概念を例示するために提供されている。当業者は、これらが実際には単に例であり、他の例が本開示の範囲および添付の請求項内に含まれることを理解するだろう。本明細書での教示に基づいて、当業者は、本明細書に開示された態様が、任意の他の態様とは独立して施行され得ること、および、これら態様のうちの２つ以上が、様々な方法で組み合わされ得ることを理解するべきである。例えば、本明細書に記載されるいずれの数の態様を使用しても、装置が実装され得、または方法が実施され得る。さらに、他の構造、機能、または、本明細書に記載される態様のうちの１つまたは複数以外のまたはそれらに追加された構造および機能を使用して、そのような装置が実現されることができるか、またはそのような方法が実現され得る。
【０２０５】
[0226]  当業者は、本開示を通して説明された様々な態様が任意の適切な電気通信システム、ネットワークアーキテクチャ、および通信規格にまで拡大され得ることを、容易に理解するだろう。例として、様々な態様は、ワイドエリアネットワーク、ピア・ツー・ピアネットワーク、ローカルエリアネットワーク、他の適切なシステム、またはそれらの任意の組み合わせに適用され得、まだ定義されていない規格によって開示されるものを含む。
【０２０６】
[0227]  多くの態様が、例えば、コンピューティングデバイスの要素によって行われるべき一連のアクションの観点から説明される。本明細書で説明される様々な態様が、例えば、中央処理ユニット（ＣＰＵ）、グラフィック処理ユニット（ＧＰＵ）、デジタルシグナルプロセッサ（ＤＳＰ）、特定用途向け集積回路（ＡＳＩＣ）、フィールドプログラマブルゲートアレイ（ＦＰＧＡ）、あるいは、汎用または専用プロセッサまたは回路の様々な他のタイプなどの、特定の回路によって、１つまたは複数のプロセッサによって実行されるプログラム命令によって、またはその両方の組み合せによって、行われ得ることが理解されるべきである。加えて、本明細書で説明されるアクションのシーケンスは、実行の際に、関連したプロセッサに本明細書で説明される機能を行わせるコンピュータ命令の対応するセットを記憶したコンピュータ可読記憶媒体（例えば、本明細書で説明される機能を行うためのコードを含む、コンピュータ実行可能コードを記憶するコンピュータ可読媒体）の任意の形式内に全体的に具現化されると考えられ得る。よって、本開示の様々な態様は、いくつかの異なる形式で具現化され得、それらの全てが、請求項に記載の事項の範囲内にあるものとして企図されている。加えて、本明細書で説明される態様の各々に関して、任意のそのような態様のうちの対応する形態は、例えば、説明されるアクションを行う「ように構成される論理」として本明細書で説明され得る。
【０２０７】
[0228]  いくつかの態様では、装置または装置の任意のコンポーネントは、本明細書に教示されるような機能を提供するように構成され得る（または動作可能であり得るまたは適合され得る）。これは、例えば、装置またはコンポーネントを、それが機能を提供することになるように製造する（例えば、作る）ことによって、装置またはコンポーネントを、それが機能を提供することになるようにプログラミングすることによって、または何らかの他の適切な実装技法の使用を通して、達成され得る。一例として、集積回路は、必須の機能を提供するように作られ得る。別の例として、集積回路は、必須の機能をサポートするように作られ、必須の機能を提供するように（例えば、プログラミングを介して）構成され得る。さらに別の例として、プロセッサ回路は、必須の機能を提供するためのコードを実行し得る。
【０２０８】
[0229]  当業者は、情報および信号が様々な異なる技術および技法のいずれかを使用して表され得ることを理解するだろう。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組み合わせによって表され得る。
【０２０９】
[0230]  さらに、当業者は、本明細書で開示される態様に関連して説明される様々な例示的な論理ブロック、モジュール、回路、およびアルゴリズムステップが電子ハードウェア、コンピュータソフトウェア、または両方の組み合わせとして実装され得ることを認識するであろう。ハードウェアとソフトウェアのこの互換性を明確に示すために、様々な例示的なコンポーネント、ブロック、モジュール、回路、およびステップが、概してそれらの機能に関して上述されている。そのような機能をハードウェアとして実装するか、ソフトウェアとして実装するかは、特定のアプリケーションおよび全体的なシステムに課される設計制約に依存する。当業者は、説明した機能を特定のアプリケーションごとに様々な方法で実装し得るが、そのような実装の決定は、本開示の範囲からの逸脱を生じるものと解釈すべきではない。
【０２１０】
[0231]  上記に例示されるコンポーネント、ステップ、特徴および／または機能のうちの１つまたは複数は、単一のコンポーネント、ステップ、特徴または機能に再構成および／または組み合わされ、あるいはいくつかのコンポーネント、ステップ、または機能において具現化され得る。追加の要素、コンポーネント、ステップ、および／または機能もまた、本明細書に開示される新規の特徴から逸脱することなく追加され得る。上記に説明される装置、デバイス、および／またはコンポーネントは、本明細書で説明される方法、特徴、または、ステップのうちの１つまたは複数を行うように構成され得る。本明細書で説明される新規のアルゴリズムはまた、効率的にソフトウェアで実装され、および／またはハードウェアに組み込まれ得る。
【０２１１】
[0232]  開示された方法におけるステップの特定の順序または階層は、例となる処理の例示であることが理解されるべきである。設計上の選好に基づいて、方法におけるステップの特定の順序または階層が並べ替られ得ることを理解されたい。添付の方法の請求項は、本明細書に特に記載されない限り、サンプルの順序において、様々なステップの要素を提示し、提示された特定の順序または階層に限定されることが意図されるものではない。
【０２１２】
[0233]  本明細書に開示された態様に関連して説明された方法、シーケンス、またはアルゴリズムは、直接ハードウェアにおいて、プロセッサによって実行されるソフトウェアモジュールにおいて、またはそれら２つの組み合せにおいて具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。記憶媒体、の例は、プロセッサが記憶媒体から情報を読み取り記憶媒体に情報を書き込むことができるように、プロセッサに接続される。代替として、記憶媒体は、プロセッサに一体化され得る。
【０２１３】
[0234]  「例示的な」という用語は、本明細書では「例、実例、または例示をとして機能する」という意味で使用される。「例示的な」ものとして本明細書で説明される任意の態様は、必ずしも、他の態様よりも好ましいまたは有利であると解釈されるべきでない。同様に、「態様」という用語は、全ての実施形態が、説明された特徴、利点、またはオペレーションのモードを含むことを必要としない。
【０２１４】
[0235]  本明細書で使用される専門用語は、特定の態様を説明することのみを目的としたものであり、これら態様を限定することを意図したものではない。本明細書で使用される場合、単数形「ａ」、「ａｎ」、「ｔｈｅ」は、そうではないと文脈が明確に示さない限り、複数形も含むことを意図する。「備える」、「備えている」、「含む」、および／または「含んでいる」という用語は、本明細書で使用される場合、記載される特徴、整数、ステップ、動作、要素、および／またはコンポーネントの存在を特定するが、１つまたは複数の他の特徴、整数、ステップ、動作、要素、コンポーネント、および／またはそれらのグループの存在または追加を排除しないことが、さらに理解されるだろう。さらに、用語「または（or）」がブール演算子「ＯＲ」と同じ意味を有しており、すなわち、それは「いずれか（either）」および「両方（both）」である可能性を含んでおり、かつそうではないと明記されない限り「排他的なまたは（exclusive or）」（「ＸＯＲ」）に限定されないことを理解されたい。２つの隣り合う用語間の記号「／」が、そうではないと明記されない限り、「または（or）」と同じ意味を有することもまた理解されたい。さらに、「〜に接続された」、「〜に結合された」、「〜と通信中である」などのフレーズは、そうではないと明記されない限り、直接接続に限定されない。
【０２１５】
[0236]  本明細書において「第１の」、「第２の」などのような指定を使用する要素へのいずれの参照も、一般に、これら要素の量または順序を限定するものではない。むしろ、これらの指定は、２つ以上の要素または要素のインスタンスの間で区別する便利な方法として本明細書で使用され得る。よって、第１の要素および第２の要素への参照は、そこで２つだけの要素しか使用できないことも、何らかの方法で第１の要素が第２の要素に先行しなければならないことも、意味していない。また、別段に記載されない限り、要素のセットは、１つまたは複数の要素を備え得る。加えて、明細書または請求項中で使用される「ａ、ｂ、またはｃのうちの少なくとも１つ」、あるいは「ａ、ｂ、ｃ、またはそれらの任意の組み合わせ」という形式の用語は、「ａまたはｂまたはｃまたはそれらの要素の任意の組み合わせ」を意味する。例えば、この用語は、ａ、またはｂ、またはｃ、あるいは、ａおよびｂ、またはａおよびｃ、またはａおよびｂおよびｃ、あるいは、２ａ、または２ｂ、または２ｃ、あるいは２ａおよびｂなどを含み得る。
【０２１６】
[0237]  本明細書で使用されるとき、「決定すること（determining）」という用語は、幅広いアクションを含む。例えば、「決定すること」は、算出すること、計算すること、処理すること、導出すること、調査すること、ルックアップすること（例えば、表、データベースまたは別のデータ構造においてルックアップすること）、確かめることなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【０２１７】
[0238]  前述の開示は例示的な態様を示すが、添付の特許請求の範囲から逸脱することなく、本明細書において様々な変更および修正が成されることができることに留意されたい。本明細書で説明される態様に従った方法の請求項の機能、ステップ、またはアクションは、そうではないと明記されない限り、任意の特定の順序で実施される必要はない。さらに、要素が単数形で説明または特許請求され得るが、単数形への限定が明記されていない限り、複数形が考慮されている。
【図１】
2020512711.tif 000004
【図２】
2020512711.tif 000005
【図３】
2020512711.tif 000006
【図４】
2020512711.tif 000007
【図５】
2020512711.tif 000008
【図６】
2020512711.tif 000009
【図７】
2020512711.tif 000010
【図８】
2020512711.tif 000011
【図９】
2020512711.tif 000012
【図１０】
2020512711.tif 000013
【図１１】
2020512711.tif 000014
【図１２】
2020512711.tif 000015
【図１３】
2020512711.tif 000016
【図１４】
2020512711.tif 000017
【図１５】
2020512711.tif 000018
【図１６】
2020512711.tif 000019
【図１７】
2020512711.tif 000020
【図１８】
2020512711.tif 000021
【図１９】
2020512711.tif 000022
【図２０】
2020512711.tif 000023
【図２１】
2020512711.tif 000024
【図２２】
2020512711.tif 000025
【図２３】
2020512711.tif 000026
【国際調査報告】
2020512711.tif 000027
2020512711.tif 000028
2020512711.tif 000029